(57)【要約】      （修正有）【課題】液体収容体から液体が漏出することを軽減する。【解決手段】液体を収容可能な液体収容部と、液体収容部に液体を注入可能な液体注入部３６と、液体収容部に連通し、液体収容部に大気を導入可能な大気開放口５８と、大気開放口から液体収容部に通じる大気連通部と、外方に向いた第１面と、第１面とは異なる方向で外方に向いた第２面と、を有し、大気連通部は、複数の大気室を含み、複数の大気室は、第１面に設けられた第１大気室と、第２面に設けられた第２大気室と、を含む、液体収容体。【選択図】図７
2017030158.tif 000002
【特許請求の範囲】
【請求項１】
液体を収容可能な液体収容体であって、
前記液体を収容可能な液体収容部と、
前記液体収容部に前記液体を注入可能な液体注入口と、
前記液体収容部に連通し、前記液体収容部に大気を導入可能な大気開放口と、
前記大気開放口から前記液体収容部に通じる大気連通部と、
外方に向いた第１面と、
前記第１面とは異なる方向で外方に向いた第２面と、を有し、
前記大気連通部は、複数の大気室を含み、
前記複数の大気室は、
前記第１面に設けられた第１大気室と、
前記第２面に設けられた第２大気室と、を含む、
ことを特徴とする液体収容体。
【請求項２】
請求項１に記載の液体収容体であって、
前記第１面と前記第２面とが、互いに反対方向に向いている、
ことを特徴とする液体収容体。
【請求項３】
請求項１又は２に記載の液体収容体であって、
前記第１面と交差する方向で外方に向いた第３面を有し、
前記複数の大気室が、前記第３面に設けられた第３大気室を含む、
ことを特徴とする液体収容体。
【請求項４】
請求項１から３のいずれか一項に記載の液体収容体であって、
前記複数の大気室のうち、前記大気連通部の経路で前記大気開放口に最も近い前記大気室に、防水通気部材が配置されている、
ことを特徴とする液体収容体。
【請求項５】
請求項１から４のいずれか一項に記載の液体収容体であって、
前記液体収容体が使用されるときの姿勢において、前記大気連通部と前記液体収容部との接続口が、鉛直方向で前記液体注入口と同じ位置、又は、前記液体注入口より上方に位置する、
ことを特徴とする液体収容体。
【請求項６】
請求項１から４のいずれか一項に記載の液体収容体であって、
前記液体収容体が使用されるときの姿勢において、前記大気連通部と前記液体収容部との接続口が、前記液体注入口より下方に位置する、
ことを特徴とする液体収容体。
【請求項７】
請求項１から６のいずれか一項に記載の液体収容体であって、
前記液体は昇華性の色材を含むインクである、
ことを特徴とする液体収容体。
【請求項８】
請求項１から７のいずれか一項に記載の液体収容体と、
前記液体収容体から前記液体が供給される液体噴射ヘッドと、
前記液体収容体と前記液体噴射ヘッドとを収容する外装部と、
を備え、
前記液体収容体は、前記液体収容部内に収容された前記液体の液面の位置を視認可能にする視認部を有する、
ことを特徴とする液体噴射システム。
【請求項９】
請求項８に記載の液体噴射システムであって、
前記視認部は、前記液体収容部内の液体収容量の上限の目安を示す上限指標部が設けられた、
ことを特徴とする液体噴射システム。
【請求項１０】
請求項８又は９に記載の液体噴射システムであって、
前記外装部は、前記視認部を視認可能な窓部が設けられた、
ことを特徴とする液体噴射システム。
【発明の詳細な説明】
【技術分野】
【０００１】
本発明は、液体収容体、液体噴射システム等に関する。
【背景技術】
【０００２】
従来、液体噴射装置の一例として、インクジェットプリンターが知られている。インクジェットプリンターでは、印刷用紙などの印刷媒体に、噴射ヘッドから液体の一例であるインクを吐出させることによって、印刷媒体への印刷を行うことができる。このようなインクジェットプリンターでは、従来、液体収容体の一例であるタンクに貯留されたインクを噴射ヘッドに供給する構成が知られている。このようなタンクでは、インクを収容可能な収容部に、大気連通口から連通部を介して大気を導入可能な構成が知られている。そして、特許文献１には、このようなタンクにおいて、収容部内のインクが連通部を通って大気連通口からタンクの外に漏出することを軽減できる構成が提案されている（例えば、特許文献１参照）。
【先行技術文献】
【特許文献】
【０００３】
【特許文献１】特開２０１５−８０９０７号公報
【発明の概要】
【発明が解決しようとする課題】
【０００４】
上記特許文献１には、さらなる改善、すなわち液体収容体から液体が漏出することを一層軽減することができる構成については提案されていない。
【課題を解決するための手段】
【０００５】
本発明は、少なくとも上述の課題を解決することができるものであり、以下の形態又は適用例として実現され得る。
【０００６】
［適用例１］液体を収容可能な液体収容体であって、前記液体を収容可能な液体収容部と、前記液体収容部に前記液体を注入可能な液体注入口と、前記液体収容部に連通し、前記液体収容部に大気を導入可能な大気開放口と、前記大気開放口から前記液体収容部に通じる大気連通部と、外方に向いた第１面と、前記第１面とは異なる方向で外方に向いた第２面と、を有し、前記大気連通部は、複数の大気室を含み、前記複数の大気室は、前記第１面に設けられた第１大気室と、前記第２面に設けられた第２大気室と、を含む、ことを特徴とする液体収容体。
【０００７】
この液体収容体では、第１面と第２面とが互いに異なる方向に向いており、第１面に第１大気室が設けられ、第２面に第２大気室が設けられている。このため、液体収容部から大気連通部に液体が進入しても、第１大気室と第２大気室との間で液体の進行を妨げやすい。これにより、液体収容部内の液体が大気連通部を介して大気開放口から液体収容体の外に漏出することを防ぎやすい。
【０００８】
［適用例２］上記の液体収容体であって、前記第１面と前記第２面とが、互いに反対方向に向いている、ことを特徴とする液体収容体。
【０００９】
この液体収容体では、第１面と第２面とが互いに反対方向に向いているので、第１大気室と第２大気室との間で液体の進行を妨げやすい。これにより、液体収容部内の液体が大気連通部を介して大気開放口から液体収容体の外に漏出することを防ぎやすい。
【００１０】
［適用例３］上記の液体収容体であって、前記第１面と交差する方向で外方に向いた第３面を有し、前記複数の大気室が、前記第３面に設けられた第３大気室を含む、ことを特徴とする液体収容体。
【００１１】
この液体収容体では、第１面と第３面とが互いに交差する方向に向いているので、第１大気室と第３大気室との間で液体の進行を妨げやすい。これにより、液体収容部内の液体が大気連通部を介して大気開放口から液体収容体の外に漏出することを防ぎやすい。
【００１２】
［適用例４］上記の液体収容体であって、前記複数の大気室のうち、前記大気連通部の経路で前記大気開放口に最も近い前記大気室に、防水通気部材が配置されている、ことを特徴とする液体収容体。
【００１３】
この液体収容体では、防水通気部材によって液体の進行を妨げることができるので、液体収容部から大気連通部に進入した液体が大気開放口に到達することを抑制しやすい。
【００１４】
［適用例５］上記の液体収容体であって、前記液体収容体が使用されるときの姿勢において、前記大気連通部と前記液体収容部との接続口が、鉛直方向で前記液体注入口と同じ位置、又は、前記液体注入口より上方に位置する、ことを特徴とする液体収容体。
【００１５】
この液体収容体では、大気連通部と液体収容部との接続口が鉛直方向で液体注入口と同じ位置、又は、液体注入口より上方に位置するので、液体収容部内の液体が接続口に到達しにくい。
【００１６】
［適用例６］上記の液体収容体であって、前記液体収容体が使用されるときの姿勢において、前記大気連通部と前記液体収容部との接続口が、前記液体注入口より下方に位置する、ことを特徴とする液体収容体。
【００１７】
この液体収容体では、大気連通部と液体収容部との接続口が液体注入口より下方に位置する構成において、液体収容部内の液体が大気連通部を介して大気開放口から液体収容体の外に漏出することを防ぎやすい。
【００１８】
［適用例７］上記の液体収容体であって、前記液体は昇華性の色材を含むインクである、ことを特徴とする液体収容体。
【００１９】
［適用例８］上記の液体収容体と、前記液体収容体から前記液体が供給される液体噴射ヘッドと、前記液体収容体と前記液体噴射ヘッドとを収容する外装部と、を備え、前記液体収容体は、前記液体収容部内に収容された前記液体の液面の位置を視認可能にする視認部を有する、ことを特徴とする液体噴射システム。
【００２０】
［適用例９］上記の液体噴射システムであって、前記視認部は、前記液体収容部内の液体収容量の上限の目安を示す上限指標部が設けられた、ことを特徴とする液体噴射システム。
【００２１】
［適用例１０］上記の液体噴射システムであって、前記外装部は、前記視認部を視認可能な窓部が設けられた、ことを特徴とする液体噴射システム。
【図面の簡単な説明】
【００２２】
【図１】本実施形態における液体噴射システムの主要構成を示す斜視図。
【図２】本実施形態における液体噴射システムの主要構成を示す斜視図。
【図３】本実施形態におけるインク供給装置の主要構成を示す分解斜視図。
【図４】本実施形態におけるインク供給装置の主要構成を示す斜視図。
【図５】実施例１におけるタンクを示す斜視図。
【図６】実施例１におけるタンクを示す斜視図。
【図７】実施例１におけるタンクを示す分解斜視図。
【図８】実施例１におけるタンクを示す分解斜視図。
【図９】実施例１におけるケースを示す斜視図。
【図１０】実施例１におけるタンクを示す分解斜視図。
【図１１】実施例１におけるケースをタンクの背面側から見たときの図。
【図１２】実施例１におけるケースをタンクの前面側から見たときの図。
【図１３】実施例１におけるタンクを示す断面図。
【図１４】実施例１におけるタンクを背面側から見たときの図。
【図１５】実施例１におけるタンクを前面側から見たときの図。
【図１６】実施例１におけるタンクの流路を模式的に示す図。
【図１７】実施例２におけるタンクを示す分解斜視図。
【図１８】実施例２におけるタンクを前面側から見たときの図。
【図１９】実施例２におけるタンクの流路を模式的に示す図。
【図２０】実施例３におけるタンクを示す斜視図。
【図２１】実施例３におけるタンクを示す斜視図。
【図２２】実施例３におけるタンクを示す斜視図。
【図２３】実施例３におけるタンクを示す分解斜視図。
【図２４】実施例３におけるケースを示す斜視図。
【図２５】実施例３におけるケースを示す斜視図。
【図２６】図２５中のＡ部の拡大図。
【図２７】実施例３におけるケースをタンクの背面側から見たときの図。
【図２８】実施例３におけるケースをタンクの前面側から見たときの図。
【図２９】実施例３におけるケースをタンクの上面側から見たときの図。
【図３０】実施例３におけるタンクの流路を模式的に示す図。
【図３１】実施例３におけるタンクの使用姿勢を模式的に示す断面図。
【発明を実施するための形態】
【００２３】
液体噴射装置の一例であるインクジェットプリンター（以下、プリンターと呼ぶ）を含む液体噴射システムを例に、実施形態について、図面を参照しながら説明する。なお、各図面において、それぞれの構成を認識可能な程度の大きさにするために、構成や部材の縮尺が異なっていることがある。
【００２４】
本実施形態における液体噴射システム１は、図１に示すように、液体噴射装置の一例であるプリンター３と、液体供給装置の一例であるインク供給装置４と、スキャナーユニット５と、を有している。プリンター３は、筐体６を有している。筐体６が、プリンター３の外殻を構成している。インク供給装置４は、液体収容体装着部の一例である筐体７と、複数（２個又は２個を超える個数）のタンク９と、を有している。筐体６と筐体７とスキャナーユニット５とが、液体噴射システム１の外殻を構成している。なお、液体噴射システム１としては、スキャナーユニット５を省略した構成も採用され得る。タンク９は、液体収容体の一例である。液体噴射システム１は、液体の一例であるインクによって、記録用紙などの記録媒体Ｐに印刷を行うことができる。
【００２５】
ここで、図１には、相互に直交する座標軸であるＸＹＺ軸が付されている。これ以降に示す図についても必要に応じてＸＹＺ軸が付されている。本実施形態では、Ｘ軸とＹ軸とによって規定される水平な平面（ＸＹ平面）に液体噴射システム１を配置した状態が、液体噴射システム１の使用状態である。ＸＹ平面に液体噴射システム１を配置したときの液体噴射システム１の姿勢を、液体噴射システム１の使用姿勢と呼ぶ。Ｚ軸は、水平な平面に直交する軸である。液体噴射システム１の使用状態において、Ｚ軸方向が鉛直上方向となる。そして、液体噴射システム１の使用状態では、図１において、−Ｚ軸方向が鉛直下方向である。なお、ＸＹＺ軸のそれぞれにおいて、矢印の向きが＋（正）の方向を示し、矢印の向きとは反対の向きが−（負）の方向を示している。
【００２６】
液体噴射システム１において、プリンター３とスキャナーユニット５とは、互いに重ねられている。プリンター３を使用する状態において、スキャナーユニット５は、プリンター３の鉛直上方に位置している。スキャナーユニット５は、フラットベッドタイプであり、イメージセンサーなどの撮像素子（図示せず）を有している。スキャナーユニット５は、用紙などの媒体に記録された画像などを、撮像素子を介して画像データとして読み取ることができる。このため、スキャナーユニット５は、画像などの読み取り装置として機能する。スキャナーユニット５は、プリンター３に対して回動可能に構成されている。スキャナーユニット５は、プリンター３の蓋としての機能も有している。作業者は、スキャナーユニット５をＺ軸方向に持ち上げることによって、スキャナーユニット５をプリンター３に対して回動させることができる。これにより、プリンター３の蓋として機能するスキャナーユニット５をプリンター３に対して開くことができる。
【００２７】
プリンター３には、排紙部１１が設けられている。プリンター３では、排紙部１１から記録媒体Ｐが排出される。プリンター３において、排紙部１１が設けられている面が正面１３とされている。また、液体噴射システム１は、正面１３に交差する上面１５と、正面１３及び上面１５に交差する側部１９とを有している。インク供給装置４は、側部１９に設けられている。筐体７には、窓部２１が設けられている。窓部２１は、筐体７において、正面２３と上面２５とに交差する側部２７に設けられている。
【００２８】
窓部２１は、光透過性を有している。そして、窓部２１に重なる位置に、上述した４つのタンク９が設けられている。このため、液体噴射システム１を使用する作業者は、窓部２１を介して４つのタンク９を視認することができる。本実施形態では、窓部２１は、筐体７に形成された開口として設けられている。作業者は、開口である窓部２１を介して４つのタンク９を視認することができる。なお、窓部２１は、開口に限定されず、例えば、光透過性を有する部材で構成されていてもよい。
【００２９】
本実施形態では、各タンク９の窓部２１に対面する部位の少なくとも一部が光透過性を有している。各タンク９の光透過性を有する部位から、タンク９内のインクが視認され得る。従って、作業者は、窓部２１を介して４つのタンク９を視認することによって、各タンク９におけるインクの量を視認することができる。つまり、タンク９では、窓部２１に対面する部位の少なくとも一部を、インクの量を視認可能な視認部として活用することができる。
【００３０】
プリンター３は、図２に示すように、記録部３１を有している。プリンター３において、記録部３１は、筐体６に収容されている。記録部３１は、搬送装置（図示せず）でＹ軸方向に搬送される記録媒体Ｐに、液体の一例であるインクで記録を行う。なお、図示しない搬送装置は、記録用紙などの記録媒体Ｐを、Ｙ軸方向に間欠的に搬送する。記録部３１は、移動装置（図示せず）によって、Ｘ軸に沿って往復移動可能に構成されている。インク供給装置４は、記録部３１にインクを供給する。なお、液体噴射システム１では、インク供給装置４の少なくとも一部は、筐体６の外側に突出している。なお、記録部３１は、筐体６に収容されている。これにより、記録部３１を筐体６で保護することができる。
【００３１】
ここで、Ｘ軸に沿う方向は、Ｘ軸と完全に平行な方向に限定されず、Ｘ軸に直交する方向を除いて、誤差や公差等により傾いた方向も含む。同様に、Ｙ軸に沿う方向は、Ｙ軸と完全に平行な方向に限定されず、Ｙ軸に直交する方向を除いて、誤差や公差等により傾いた方向も含む。Ｚ軸に沿う方向は、Ｚ軸と完全に平行な方向に限定されず、Ｚ軸に直交する方向を除いて、誤差や公差等により傾いた方向も含む。つまり、任意の軸や面に沿う方向は、これらの任意の軸や面に完全に平行な方向に限定されず、これらの任意の軸や面に直交する方向を除いて、誤差や公差等により傾いた方向も含む。
【００３２】
インク供給装置４は、液体収容体の一例であるタンク９を有している。本実施形態では、インク供給装置４が、複数の（本実施形態では４つの）タンク９を有している。複数のタンク９は、プリンター３の筐体６の外側に突出している。複数のタンク９は、筐体７の内部に収容されている。これにより、タンク９を筐体７で保護することができる。筐体７は、筐体６から突出している。
【００３３】
なお、本実施形態では、インク供給装置４が複数（４つ）のタンク９を有している。しかしながら、タンク９の個数は４つに限定されず、３つや、３つを下回る個数、４つを超える個数も採用され得る。
【００３４】
さらに、本実施形態では、複数のタンク９が互いに別体で構成されている。しかしながら、液体収容体の一例であるタンク９構成は、これに限定されない。液体収容体の構成としては、複数のタンク９を一体にして１つの液体収容体とする構成も採用され得る。この場合、１つの液体収容体に複数の液体収容部が設けられる。複数の液体収容部は、互いに個別に仕切られ、異なる種類の液体を収容可能に構成される。この場合、例えば、複数の液体収容部に、異なる色のインクを個別に収容することができる。
【００３５】
各タンク９には、図２に示すように、インク供給チューブ３２が接続される。タンク９内のインクは、インク供給装置４からインク供給チューブ３２を介して記録部３１に供給される。記録部３１には、液体噴射ヘッドの一例である記録ヘッド（図示せず）が設けられている。記録ヘッドには、記録媒体Ｐ側に向けられたノズル開口（図示せず）が形成されている。インク供給装置４からインク供給チューブ３２を介して記録部３１に供給されたインクは、記録ヘッドに供給される。そして、記録部３１に供給されたインクが、記録ヘッドのノズル開口から記録媒体Ｐに向けてインク滴として吐出される。なお、上記の例では、プリンター３とインク供給装置４とを個別の構成として説明したが、インク供給装置４をプリンター３の構成に含めることもできる。
【００３６】
なお、タンク９としては、インクの収容量を視認可能な視認面３３に、上限マーク３４や、下限マーク３５などが付加された構成も採用され得る。視認面３３は、視認部の一例である。また、上限マーク３４は、上限指標部の一例である。作業者は、上限マーク３４及び下限マーク３５を目印にしてタンク９におけるインクの量を把握することができる。なお、上限マーク３４は、後述する液体注入部３６からインクを注入したときに液体注入部３６から溢れないようなインク量の目安を示すものである。また、下限マーク３５は、インクの注入を促すときのインク量の目安を示すものである。上限マーク３４及び下限マーク３５の少なくとも一方をタンク９に設ける構成も採用され得る。
【００３７】
また、筐体７と筐体６とは、互いに別体であっても一体であってもよい。筐体７と筐体６が一体である場合、複数のタンク９は、記録部３１やインク供給チューブ３２とともに筐体６の内部に収容される、ということができる。筐体７と筐体６が一体である場合、筐体６が、液体収容体と液体噴射ヘッドとを収容する外装部に対応する。
【００３８】
また、タンク９の配置箇所は、筐体６のＸ軸方向の側面側に限定されない。タンク９の配置箇所としては、例えば、筐体６のＹ軸方向の前面側も採用され得る。
【００３９】
また、本実施形態では、複数のタンク９が互いに別体で構成されている。しかしながら、タンク９の構成は、これに限定されない。タンク９の構成としては、複数のタンク９を一体にした構成も採用され得る。この場合、１つのタンク９に複数のインク室が設けられる。複数のインク室は、互いに個別に仕切られ、異なる種類のインクを収容可能に構成される。この場合、例えば、複数のインク室に、異なる色のインクを個別に収容することができる。
【００４０】
上記の構成を有する液体噴射システム１では、記録媒体ＰをＹ軸方向に搬送させ、且つ記録部３１をＸ軸に沿って往復移動させながら、記録部３１の記録ヘッドに所定の位置でインク滴を吐出させることによって、記録媒体Ｐに記録が行われる。
【００４１】
インクは、水性インクと油性インクのいずれか一方に限定されるものではない。また、水性インクとしては、水性溶媒に染料などの溶質が溶解した構成を有するもの、水性分散媒に顔料などの分散質が分散した構成を有するもののいずれでもよい。また、油性インクとしては、油性溶媒に染料などの溶質が溶解した構成を有するもの、油性分散媒に顔料などの分散質が分散した構成を有するもののいずれでもよい。
【００４２】
インク供給装置４において、筐体７は、図３に示すように、第１筐体４１と、第２筐体４２と、を含む。タンク９には、液体注入部３６が形成されている。タンク９では、液体注入部３６を介してタンク９の外部からタンク９の内部にインクを注入することができる。なお、作業者は、筐体７の外側からタンク９の液体注入部３６にアクセスすることができる。
【００４３】
ここで、図３中のＸ軸、Ｙ軸、及びＺ軸は、図１に示す液体噴射システム１に対するＸ軸、Ｙ軸、及びＺ軸に対応している。つまり、図３中のＸ軸、Ｙ軸、及びＺ軸は、インク供給装置４を液体噴射システム１に組み込んだ状態でのＸ軸、Ｙ軸、及びＺ軸を意味する。これ以降に液体噴射システム１の構成部品やユニットを示す図にＸ軸、Ｙ軸、及びＺ軸が付されている場合においても、その構成部品やユニットを液体噴射システム１に組み込んだ（搭載した）状態でのＸ軸、Ｙ軸、及びＺ軸を意味する。そして、液体噴射システム１の使用姿勢における各構成部品やユニットの姿勢を、それらの構成部品やユニットの使用姿勢と呼ぶ。
【００４４】
図３に示すように、第１筐体４１は、複数のタンク９よりも−Ｚ軸方向に位置している。複数のタンク９は、第１筐体４１に支持されている。第２筐体４２は、第１筐体４１よりもＺ軸方向に位置しており、第１筐体４１のＺ軸方向から複数のタンク９を覆っている。複数のタンク９は、第１筐体４１と第２筐体４２とによって覆われている。
【００４５】
本実施形態では、４つのタンク９は、Ｙ軸に沿って並んでいる。以下において、４つのタンク９を個別に識別する場合に、４つのタンク９は、それぞれ、タンク９１、タンク９２、タンク９３、及びタンク９４と表記される。タンク９１、タンク９２、タンク９３、及びタンク９４は、この順にＹ軸方向に並んでいる。つまり、タンク９２がタンク９１よりもＹ軸方向に位置し、タンク９３がタンク９２よりもＹ軸方向に位置し、タンク９４がタンク９３よりもＹ軸方向に位置している。
【００４６】
４つのタンク９のうちタンク９１、タンク９２、及びタンク９３は、相互に同じ形状を有している。タンク９４は、他のタンク９とは異なる形状を有している。タンク９４の容積は、他のタンク９の容積よりも大きい。この点を除いて、タンク９４は、他のタンク９と同様の構成を有している。この構成は、例えば、使用頻度の高い種類のインクをタンク９４に収容するのに好適である。使用頻度の高い種類のインクを他の種類のインクよりも多く収容することができるためである。
【００４７】
第２筐体４２は、カバー４３を有している。カバー４３は、第２筐体４２のＺ軸方向の端部に位置している。カバー４３は、図４に示すように、第２筐体４２に対して回動可能に構成されている。図４には、カバー４３が第２筐体４２に対して開かれた状態が図示されている。カバー４３が第２筐体４２に対して開かれると、複数のタンク９の液体注入部３６が露呈する。これにより、作業者は、筐体７の外側からタンク９の液体注入部３６にアクセスすることができる。
【００４８】
カバー４３には、係止部４３Ａが設けられている。係止部４３Ａは、図４に示すように、カバー４３の第１筐体４１側に設けられている。カバー４３を閉じた状態で、係止部４３Ａは、カバー４３から第１筐体４１側に向かって突出している。係止部４３Ａには、突起部４３Ｂが形成されている。突起部４３Ｂは、係止部４３Ａのカバー４３側とは反対側に形成されている。突起部４３Ｂは、係止部４３Ａから−Ｙ軸方向に向かって突出している。第２筐体４２において、係止部４３Ａに対向する部分には、係合孔４２Ａが形成されている。第２筐体４２において、係合孔４２Ａは、カバー４３を閉じたときに係止部４３Ａに重なる部分に形成されている。
【００４９】
カバー４３を閉じた状態において、係止部４３Ａは、第２筐体４２の係合孔４２Ａに挿入される。このとき、係止部４３Ａの突起部４３Ｂが係合孔４２Ａに係合する。これにより、カバー４３を閉じて係止部４３Ａの突起部４３Ｂが係合孔５１１に係合するときに、クリック感が得られる。また、例えば、カバー４３が強い勢いで閉じたときなどに、突起部４３Ｂが係合孔４２Ａに係合することによってカバー４３の勢いを緩和することができる。これにより、カバー４３が閉じるときにカバー４３が第２筐体４２に当接するときの衝撃を軽減することができる。
【００５０】
また、カバー４３には、図４に示すように、把手部４３Ｃが形成されている。把手部４３Ｃは、タンクユニット５Ｂやタンクユニット５Ｃの底面５２５に形成された凹部として設けられている。把手部４３Ｃは、カバー４３のＸ軸方向の端部、且つカバー４３の−Ｚ軸方向の端部に設けられている。作業者は、把手部４３Ｃに手指を添えてカバー４３をＺ軸方向に回動させることができる。このとき、把手部４３Ｃが手指に引っ掛かりやすいので、作業者は、把手部４３Ｃに手指を添えてカバー４３を回動させやすい。
【００５１】
なお、液体注入部３６は、栓部材４４で封止されている。タンク９にインクを注入するとき、栓部材４４を液体注入部３６から外して液体注入部３６を開放してからインクが注入される。
【００５２】
第２筐体４２は、さらに、複数の栓部材配置部４５と、複数の取付部４６とを有する。複数の栓部材配置部４５、及び、複数の取付部４６は、第２筐体４２のＺ軸方向の面上に配置されている。第２筐体４２において、複数の栓部材配置部４５、及び、複数の取付部４６は、カバー４３に対向する面に設けられている。このため、カバー４３を閉じると、複数の栓部材配置部４５、及び、複数の取付部４６は、カバー４３によって覆われる。複数の栓部材配置部４５は、Ｙ軸に沿って並んで配置されている。複数の取付部４６は、Ｙ軸に沿って並んで配置されている。
【００５３】
複数の栓部材配置部４５は、対応する栓部材４４の栓本体４４Ａを配置可能に構成されている。すなわち、各栓部材配置部４５は、液体注入口５２から取り外された各栓部材４４の栓本体４４Ａを配置すべき部分である。
【００５４】
栓部材配置部４５は、第２筐体４２のＺ軸方向の面に形成された凹部である。この凹部に栓部材４４の栓本体４４Ａが受け入れられる。栓部材配置部４５は、凹部によってインクを保持できる。栓部材配置部４５は、突起４５Ａとを有する。突起４５Ａは、第２筐体４２のＺ軸方向の面から鉛直上方向に突出する。突起４５Ａは、栓部材４４の栓本体４４Ａが挿入されることで栓本体４４Ａが装着（保持）される部分である。なお、栓部材配置部４５は、インクを保持できる構成であることが好ましい。例えば、本実施形態のごとく、栓部材配置部４５は凹部であっても良いし、第２筐体４２のＺ軸方向の面に配置された多孔質部材であっても良い。
【００５５】
複数の取付部４６は、対応する栓部材４４の被取付部４４Ｂを取付可能な部分である。複数の取付部４６はそれぞれ、第２筐体４２のＺ軸方向の面からＺ軸方向に突出する柱状の突起である。栓部材４４において、栓本体４４Ａと被取付部４４Ｂとは、接続部４４Ｃを介して互いにつながっている。このため、栓本体４４Ａを液体注入部３６から外したときに、栓本体４４Ａを落下させてしまったり、紛失させてしまったりすることを防止しやすい。
【００５６】
タンク９やインク供給装置４の種々の実施例について説明する。なお、以下においては、タンク９やインク供給装置４を実施例ごとに識別するため、タンク９やインク供給装置４の符号に、実施例ごとに異なるアルファベット文字を付記する。また、上述したように、４つのタンク９のうちタンク９４と他のタンク９とでは、容積が異なることを除いて、互いに同様の構成を有している。以下では、タンク９１を例にタンク９の実施例を説明する。以下に説明するタンク９の種々の実施例は、タンク９４にも適用可能である。このため、タンク９４の実施例の詳細な説明を省略する。
【００５７】
（実施例１）
実施例１におけるタンク９Ａについて説明する。タンク９Ａは、図５に示すように、前面５１と、側面５２と、上面５３と、を有している。前面５１、側面５２、及び上面５３は、それぞれ、タンク９Ａにおいて、外方に向いている面である。また、タンク９Ａは、図６に示すように、背面５４と、側面５５と、下面５６と、を有している。背面５４、側面５５、及び下面５６は、それぞれ、タンク９Ａにおいて、外方に向いている面である。
【００５８】
タンク９Ａにおいて外方に向いている面のうち前面５１は、図５に示すように、Ｙ軸方向に向いている。本実施例では、前面５１は、ＸＺ平面に沿って延伸している。側面５２は、−Ｘ軸方向に向いている。本実施例では、側面５２は、ＹＺ平面に沿って延伸している。また、側面５２は、前面５１と交差している。上面５３は、Ｚ軸方向に向いている。本実施例では、上面５３は、段差を含んでいる。本実施例では、タンク９ＡにおいてＺ軸方向に向いている面のうち前面５１に交差する面が上面５３である。上面５３は、ＸＹ平面に沿って延伸している。なお、上面５３のうちの一部は、側面５２にも交差している。
【００５９】
なお、ＸＺ平面に沿って延伸する面は、ＸＺ平面に完全に平行に延伸する面に限定されず、ＸＺ平面に直交する面を除いて、誤差や公差等により傾いた面も含む。同様に、ＹＺ平面に沿って延伸する面は、ＹＺ平面に完全に平行に延伸する面に限定されず、ＹＺ平面に直交する面を除いて、誤差や公差等により傾いた面も含む。ＸＹ平面に沿って延伸する面は、ＸＹ平面に完全に平行に延伸する面に限定されず、ＸＹ平面に直交する面を除いて、誤差や公差等により傾いた面も含む。また、前面５１、側面５２、上面５３、背面５４、側面５５、及び下面５６は、それぞれ、平坦な面に限定されず、凹凸や段差等を含んでいてもよい。
【００６０】
また、２つの面が交差するとは、２つの面が互いに平行でない位置関係であることを示す。２つの面が互いに直接に接触している場合のほか、直接に接触しておらず互いに離れている位置関係でも、一方の面の延長と他方の面の延長とが交差する関係である場合も交差するという。交差する２つの面がなす角は、直角、鈍角、鋭角のいずれでもよい。
【００６１】
上面５３は、２箇所の段差を含んでいる。上面５３における段差とは、上面５３におけるＺ軸に沿った高低差のことである。以下において、２箇所の段差を含む上面５３を段差ごとに識別する場合に、上面５３は、それぞれ、上面５３Ａ、上面５３Ｂ、及び上面５３Ｃと表記される。上面５３Ａは、２箇所の段差の間に位置しており、上面５３Ａ、上面５３Ｂ、及び上面５３Ｃのうちで最もＺ軸方向に位置している。タンク９Ａを−Ｚ軸方向に平面視したとき、上面５３Ａは、上面５３Ｂと上面５３Ｃとの間に位置している。
【００６２】
上面５３Ｂは、上面５３Ａの−Ｘ軸方向に位置している。上面５３Ｂは、上面５３Ａ、上面５３Ｂ、及び上面５３Ｃのうちで最も−Ｘ軸方向に位置している。換言すれば、上面５３Ｂは、上面５３Ａ、上面５３Ｂ、及び上面５３Ｃのうちで最も側面５２側に位置している。上面５３Ｃは、上面５３ＡのＸ軸方向に位置している。上面５３Ｃは、上面５３Ａ、上面５３Ｂ、及び上面５３Ｃのうちで最もＸ軸方向に位置している。換言すれば、上面５３Ｃは、上面５３Ａ、上面５３Ｂ、及び上面５３Ｃのうちで最も側面５５（図６）側に位置している。
【００６３】
タンク９Ａにおいて、液体注入部３６は、上面５３Ｃに設けられている。液体注入部３６は、上面５３ＣからＺ軸方向に突出している。また、タンク９Ａには、大気開放部５８と、液体供給部５９とが設けられている。大気開放部５８は、段差面６１に設けられている。大気開放部５８は、段差面６１から−Ｘ軸方向に突出している。段差面６１は、上面５３Ａと上面５３Ｂとの段差をつなぐ面であり、−Ｘ軸方向に向いている。本実施例では、段差面６１は、ＹＺ平面に沿って延伸している。段差面６１は、上面５３Ａ、上面５３Ｂ、前面５１、及び背面５４（図６）に交差している。
【００６４】
液体供給部５９は、側面５２から−Ｘ軸方向に突出した部分６２に設けられている。液体供給部５９は、側面５２から突出した部分６２からＹ軸方向に向かって突出している。タンク９Ａに収容されたインクは、液体供給部５９を介してインク供給チューブ３２（図２）に供給される。
【００６５】
タンク９Ａにおいて外方に向いている面のうち背面５４は、図６に示すように、−Ｙ軸方向に向いている。本実施例では、背面５４は、ＸＺ平面に沿って延伸している。側面５５は、Ｘ軸方向に向いている。本実施例では、側面５５は、ＹＺ平面に沿って延伸している。また、側面５５は、背面５４と交差している。なお、タンク９Ａにおいて、側面５５が視認面３３に設定されている。下面５６は、−Ｚ軸方向に向いている。本実施例では、下面５６は、ＸＹ平面に対して傾斜している。本実施例では、下面５６は、Ｘ軸方向に向かうにつれてＺ軸方向に向かう向きに傾斜している。下面５６は、背面５４と交差している。
【００６６】
タンク９Ａでは、前面５１（図５）と背面５４（図６）とは、互いに反対方向に向いている。側面５２は、背面５４にも交差している。また、側面５５は、前面５１にも交差している。また、上面５３は、背面５４にも交差している。また、下面５６は、前面５１にも交差している。なお、タンク９Ａにおいて、背面５４は第１面の一例であり、前面５１は第２面の一例である。タンク９Ａにおいて、前面５１と背面５４とは、互いに異なる方向でタンク９Ａの外方に向いている。
【００６７】
タンク９Ａは、図７に示すように、タンク本体の一例であるケース６３と、シート部材６４と、防水通気フィルム６５と、シート部材６６と、を有している。ケース６３は、例えば、ナイロンやポリプロピレン等の合成樹脂により構成されている。また、シート部材６４及びシート部材６６は、それぞれ、合成樹脂（例えば、ナイロンや、ポリプロピレン等）によりフィルム状に形成され、可撓性を有する。防水通気フィルム６５は、液体に対する防水性が高く、すなわち液体の浸透性が低く、通気性が高い材料で構成されており、フィルム状に形成されている。防水通気フィルム６５は、防水通気部材の一例である。なお、本実施例では、シート部材６６のうちＹ軸方向に向いている面が、タンク９Ａの前面５１に相当している。
【００６８】
ケース６３には、図８に示すように、凹部６７が形成されている。また、ケース６３には、接合部６８が設けられている。図８では、構成をわかりやすく示すため、接合部６８にハッチングが施されている。シート部材６４は、接合部６８に接合されている。本実施例では、溶着によってケース６３とシート部材６４とが接合されている。ケース６３にシート部材６４が接合されると、凹部６７がシート部材６４によって塞がれる。凹部６７とシート部材６４とによって囲まれる空間は、液体収容部６９と呼ばれる。液体収容部６９にインクが収容される。なお、本実施例では、シート部材６４のうち−Ｙ軸方向に向いている面が、タンク９Ａの背面５４に相当している。このため、タンク９Ａでは、背面５４に液体収容部６９が設けられている。
【００６９】
ケース６３は、壁７１と、壁７２と、壁７３と、壁７４と、壁７５と、壁７６と、壁７７と、壁７８と、壁７９と、を有している。壁７１は、ＸＺ平面に沿って延伸している。壁７２〜壁７９の８つの壁は、壁７１に交差している。壁７２〜壁７９の８つの壁は、壁７１から−Ｙ軸方向に突出している。壁７１をＹ軸方向に平面視したとき、壁７２〜壁７９の８つの壁が壁７１を囲んでいる。壁７１と、壁７２〜壁７９の８つの壁とによって、壁７１を底とする凹部６７が構成されている。なお、壁７１〜壁７９は、それぞれ平坦な壁に限られず、凹凸や段差等を含むものであってもよい。
【００７０】
壁７２と壁７３とは、Ｘ軸に沿って隙間をあけた状態で互いに対峙する位置に設けられており、それぞれＹＺ平面に沿って延伸している。壁７３が、壁７２よりもＸ軸方向に位置している。壁７４は、壁７２及び壁７３の−Ｚ軸方向に位置しており、壁７２及び壁７３に交差している。壁７１をＹ軸方向に平面視したとき、壁７５から壁７９は、壁７４よりもＺ軸方向に位置している。壁７５は、壁７５から壁７９のうちで最もＸ軸方向に位置しており、壁７３に交差している。壁７９は、壁７５から壁７９のうちで最も−Ｘ軸方向に位置しており、壁７２に交差している。壁７６は、壁７５の−Ｘ軸方向に位置しており、ＹＺ平面に沿って延伸している。壁７７は、壁７６の−Ｘ軸方向に位置しており、ＸＹ平面に沿って延伸している。壁７８は、壁７７の−Ｘ軸方向に位置しており、ＹＺ平面に沿って延伸している。壁７９は、壁７８の−Ｘ軸方向に位置しており、ＸＹ平面に沿って延伸している。
【００７１】
また、ケース６３には、図９に示すように、凹部８１と、凹部８２と、凹部８３と、凹部８４と、凹部８５と、凹部８６と、溝部８７と、溝部８８とが形成されている。凹部８１は、凹部６７のＺ軸方向に位置している。凹部８１は、壁７５のＺ軸方向に位置している。凹部８１は、壁７３と、壁７５と、壁７６と、壁１０１と、壁１０２とによって区画されている。壁１０１は、ＸＺ平面に沿って延伸しており、壁７１よりも−Ｙ軸方向に位置している。壁１０２は、ＸＹ平面に沿って延伸しており、壁７５よりもＺ軸方向に位置している。壁７３、壁７５、壁７６、及び壁１０２は、壁１０１から−Ｙ軸方向に突出している。壁１０１をＹ軸方向に平面視したとき、壁７３、壁７５、壁７６、及び壁１０２は、壁１０１を囲んでいる。これにより、壁１０１を底とする凹部８１が構成されている。
【００７２】
凹部８２は、凹部６７のＺ軸方向に位置している。凹部８２は、壁７７のＺ軸方向に位置している。凹部８２は、壁７１と、壁７７と、壁１０３と、壁１０４と、壁１０５とによって区画されている。なお、凹部６７の壁７１と、凹部８２の壁７１とは、互いに同一の壁である。つまり、本実施例では、凹部６７と凹部８２とが、互いに壁７１を共有している。凹部６７と凹部８２とは、壁７６及び壁７７も共有している。壁１０３は、ＹＺ平面に沿って延伸しており、壁７６よりも−Ｘ軸方向に位置している。壁１０４は、ＸＹ平面に沿って延伸しており、壁７７よりもＺ軸方向に位置している。壁１０５は、ＹＺ平面に沿って延伸しており、壁７６よりも−Ｘ軸方向に位置し、且つ壁１０３よりもＸ軸方向に位置している。壁７７、壁１０３、壁１０４、及び壁１０５は、壁７１から−Ｙ軸方向に突出している。壁７１をＹ軸方向に平面視したとき、壁７７、壁１０３、壁１０４、及び壁１０５は、壁７１を囲んでいる。これにより、壁７１を底とする凹部８２が構成されている。
【００７３】
凹部８３は、凹部６７のＺ軸方向に位置し、且つ凹部８２の−Ｘ軸方向に位置している。凹部８３は、壁７７のＺ軸方向に位置している。凹部８３は、壁７１と、壁７７と、壁１０３と、壁１０４と、壁１０６とによって区画されている。なお、凹部６７と、凹部８３とは、互いに壁７１及び壁７７を共有している。また、凹部８２と凹部８３とは、壁１０３及び壁１０４を共有している。壁１０６は、ＹＺ平面に沿って延伸しており、壁１０３よりも−Ｘ軸方向に位置している。壁７７、壁１０３、壁１０４、及び壁１０６は、壁７１から−Ｙ軸方向に突出している。壁７１をＹ軸方向に平面視したとき、壁７７、壁１０３、壁１０４、及び壁１０６は、壁７１を囲んでいる。これにより、壁７１を底とする凹部８３が構成されている。
【００７４】
凹部８４は、凹部６７のＺ軸方向に位置し、且つ凹部８３の−Ｘ軸方向に位置している。凹部８４は、壁７７のＺ軸方向に位置している。凹部８４は、壁７１と、壁７７と、壁７８と、壁１０６と、壁１０７とによって区画されている。なお、凹部６７と、凹部８４とは、互いに壁７１、壁７７及び壁７８を共有している。また、凹部８３と凹部８４とは、壁１０６を共有している。壁１０７は、ＸＹ平面に沿って延伸しており、壁７７よりもＺ軸方向に位置している。壁７７、壁７８、壁１０６、及び壁１０７は、壁７１から−Ｙ軸方向に突出している。壁７１をＹ軸方向に平面視したとき、壁７７、壁７８、壁１０６、及び壁１０７は、壁７１を囲んでいる。これにより、壁７１を底とする凹部８４が構成されている。
【００７５】
凹部８５は、凹部８２のＺ軸方向に位置している。凹部８５は、壁１０４のＺ軸方向に位置している。凹部８５は、壁７１と、壁１０４と、壁１０５と、壁１０６と、壁１０８と、壁１０９と、壁１１０とによって区画されている。なお、凹部８２と凹部８５とは、互いに壁１０４、及び壁１０５を共有している。また、凹部８３と凹部８５とは、壁１０６を共有している。壁１０８は、ＸＹ平面に沿って延伸しており、壁１０４よりもＺ軸方向に位置している。壁１０９は、ＸＹ平面に沿って延伸しており、壁１０４よりもＺ軸方向に位置し、且つ壁１０８よりも−Ｚ軸方向に位置している。壁１１０は、ＹＺ平面に沿って延伸しており、壁１０５よりも−Ｘ軸方向に位置し、且つ壁１０６よりもＸ軸方向に位置している。壁１０４、壁１０５、壁１０６、壁１０８、壁１０９及び壁１１０は、壁７１から−Ｙ軸方向に突出している。壁７１をＹ軸方向に平面視したとき、壁１０４、壁１０５、壁１０６、壁１０８、壁１０９及び壁１１０は、壁７１を囲んでいる。これにより、壁７１を底とする凹部８５が構成されている。
【００７６】
凹部８６は、凹部８３のＺ軸方向に位置している。凹部８６は、壁１０４のＺ軸方向に位置している。凹部８６は、壁７１と、壁１０４と、壁１０６と、壁１０９と、壁１１０とによって区画されている。なお、凹部８５と凹部８６とは、互いに壁１０４、壁１０６、壁１０９及び壁１１０を共有している。凹部８６は、壁１０９及び壁１１０によって凹部８５から仕切られているともみなされ得る。壁７１をＹ軸方向に平面視したとき、壁１０４、壁１０６、壁１０９及び壁１１０は、壁７１を囲んでいる。これにより、壁７１を底とする凹部８６が構成されている。
【００７７】
溝部８７は、壁７１をＹ軸方向に平面視したときに、壁７６と壁１０５との間に形成されている。溝部８７は、凹部８１と凹部８２との間に形成されている。凹部８１と凹部８２とは、溝部８７を介してつながっている。溝部８８は、壁１０４と壁１０５とが交差する箇所のうち壁１０４のＺ軸方向の位置を起点として、壁７１を−Ｙ軸方向に平面視したときに、凹部８５の外側を時計回り方向に回ってから、壁７２の−Ｘ軸方向の位置を通って転回、蛇行して凹部８４に至る。なお、凹部６７と凹部８１とは、壁７５に形成された切欠き部１１１を介してつながっている。
【００７８】
凹部６７、凹部８１〜凹部８６、溝部８７及び溝部８８、並びに切欠き部１１１は、−Ｙ軸方向からＹ軸方向に向かって凹となる向きに形成されている。凹部６７、凹部８１〜凹部８６、溝部８７及び溝部８８、並びに切欠き部１１１は、壁７１をＹ軸方向に平面視したときに、接合部６８によって囲まれている。なお、前述したように、タンク９Ａでは、シート部材６４（図８）のうち−Ｙ軸方向に向いている面が、タンク９Ａの背面５４に相当している。このため、タンク９Ａでは、背面５４に凹部６７、凹部８１〜凹部８６、溝部８７及び溝部８８、並びに切欠き部１１１が設けられている。
【００７９】
なお、シート部材６４（図８）は、タンク９ＡをＹ軸方向に平面視したときに、凹部６７、凹部８１〜凹部８６、溝部８７及び溝部８８、並びに切欠き部１１１を囲む接合部６８を覆う大きさ及び形状を有している。このため、ケース６３の接合部６８にシート部材６４を接合すると、凹部６７、凹部８１〜凹部８６、溝部８７及び溝部８８、並びに切欠き部１１１がシート部材６４によって塞がれる。これにより、凹部６７、及び凹部８１〜凹部８６が相互に仕切られた部屋となる。
【００８０】
なお、図９に示すケース６３の壁７２のうち−Ｘ軸方向の面、すなわち壁７２の凹部６７側とは反対側の面が、図５に示すタンク９Ａの側面５２に相当する。また、図９に示す壁７３のうちＸ軸方向の面、すなわち壁７３の凹部６７側とは反対側の面が、図６に示す側面５５に相当する。また、図９に示す壁７４のうち−Ｚ軸方向の面、すなわち壁７４の凹部６７側とは反対側の面が、図６に示す下面５６に相当する。また、図９に示す壁７５のうちＺ軸方向の面、すなわち壁７５の凹部６７側とは反対側の面が、図５に示す上面５３Ｃに相当する。また、図９に示す壁１０８のうちＺ軸方向の面、すなわち壁１０８の凹部８５側とは反対側の面が、図５に示す上面５３Ａに相当する。また、図９に示す壁７９のうちＺ軸方向の面、すなわち壁７９の凹部６７側とは反対側の面が、図５に示す上面５３Ｂに相当する。
【００８１】
また、ケース６３には、図１０に示すように、凹部１１３と、凹部１１４と、凹部１１５と、凹部１１６と、凹部１１７とが形成されている。さらに、ケース６３は、区画壁１２１と、区画壁１２２と、区画壁１２３と、区画壁１２４と、区画壁１２５とを有している。凹部１１３〜凹部１１７は、壁７１を隔てて凹部６７（図９）側とは反対側に位置している。つまり、凹部１１３〜凹部１１７は、壁７１を隔てて凹部６７（図９）のＹ軸方向に位置している。なお、凹部６７の壁７１と、凹部１１３〜凹部１１７の壁７１とは、互いに同一の壁である。つまり、本実施例では、凹部６７と凹部１１３〜凹部１１７とが、互いに壁７１を共有している。
【００８２】
凹部１１３は、壁７１と、区画壁１２１とによって区画されている。区画壁１２１は、壁７１のＹ軸方向に向いている面に設けられている。区画壁１２１は、壁７１からＹ軸方向に突出している。壁７１を−Ｙ軸方向に平面視したとき、区画壁１２１によって囲まれる領域が、凹部１１３の領域である。そして、壁７１を囲む区画壁１２１と壁７１とによって、壁７１を底とする凹部１１３が構成されている。
【００８３】
凹部１１４は、凹部１１３のＺ軸方向に位置している。凹部１１４は、壁７１と、区画壁１２２とによって区画されている。区画壁１２２は、壁７１のＹ軸方向に向いている面に設けられている。区画壁１２２は、壁７１からＹ軸方向に突出している。壁７１を−Ｙ軸方向に平面視したとき、区画壁１２２によって囲まれる領域が、凹部１１４の領域である。そして、壁７１を囲む区画壁１２２と壁７１とによって、壁７１を底とする凹部１１４が構成されている。なお、本実施例では、区画壁１２１の一部と区画壁１２２の一部とが重なっている。このため、凹部１１３と凹部１１４とが区画壁１２１の一部及び区画壁１２２の一部を共有しているともみなされ得る。
【００８４】
凹部１１５は、凹部１１４の内側に形成されている。凹部１１５は、凹部１１４内で凹部１１４から独立して設けられている。つまり、凹部１１５は、凹部１１４内で島状に設けられている。凹部１１５は、壁７１と、区画壁１２３とによって区画されている。区画壁１２３は、壁７１のＹ軸方向に向いている面に設けられている。区画壁１２３は、壁７１からＹ軸方向に突出している。壁７１からの区画壁１２３の突出量は、壁７１からの区画壁１２２の突出量よりも小さい。壁７１を−Ｙ軸方向に平面視したとき、区画壁１２３によって囲まれる領域が、凹部１１５の領域である。そして、壁７１を囲む区画壁１２３と壁７１とによって、壁７１を底とする凹部１１５が構成されている。
【００８５】
凹部１１６及び凹部１１７は、それぞれ、凹部１１３の内側に形成されている。凹部１１６及び凹部１１７は、それぞれ、凹部１１３内で凹部１１３から独立して設けられている。つまり、凹部１１６及び凹部１１７は、それぞれ、凹部１１３内で島状に設けられている。凹部１１６は、壁７１と、区画壁１２４とによって区画されている。凹部１１７は、壁７１と、区画壁１２５とによって区画されている。
【００８６】
区画壁１２４及び区画壁１２５は、それぞれ、壁７１のＹ軸方向に向いている面に設けられている。区画壁１２４及び区画壁１２５は、それぞれ、壁７１からＹ軸方向に突出している。壁７１を−Ｙ軸方向に平面視したとき、区画壁１２４によって囲まれる領域が、凹部１１６の領域である。同様に、区画壁１２５によって囲まれる領域が、凹部１１７の領域である。そして、壁７１を囲む区画壁１２４と壁７１とによって、壁７１を底とする凹部１１６が構成され、壁７１を囲む区画壁１２５と壁７１とによって、壁７１を底とする凹部１１７が構成されている。
【００８７】
凹部１１５を区画する区画壁１２３のＹ軸方向の端部は、接合部１２６として設定されている。図１０では、構成をわかりやすく示すため、接合部１２６にハッチングが施されている。接合部１２６には、防水通気フィルム６５が接合されている。防水通気フィルム６５は、壁７１を−Ｙ軸方向に平面視したとき、凹部１１５及び接合部１２６を覆う大きさ及び形状を有している。このため、防水通気フィルム６５を接合部１２６に接合すると、凹部１１５が防水通気フィルム６５によって塞がれる。これにより、凹部１１５は、凹部１１４から防水通気フィルム６５によって仕切られた部屋となる。
【００８８】
区画壁１２１、区画壁１２２、区画壁１２４、区画壁１２５のＹ軸方向の端部は、接合部１２７として設定されている。図１０では、構成をわかりやすく示すため、接合部１２７にハッチングが施されている。シート部材６６は、接合部１２７に接合されている。本実施例では、溶着によってケース６３とシート部材６６とが接合されている。シート部材６６は、壁７１を−Ｙ軸方向に平面視したとき、凹部１１３、凹部１１４及び接合部１２７を覆う大きさ及び形状を有している。このため、ケース６３にシート部材６６が接合されると、凹部１１３、凹部１１４、凹部１１６、及び凹部１１７がシート部材６６によって塞がれる。これにより、凹部１１３、凹部１１４、凹部１１６、及び凹部１１７が相互に仕切られた部屋となる。なお、壁７１からの区画壁１２３の突出量が壁７１からの区画壁１２２の突出量よりも小さいため、防水通気フィルム６５とシート部材６６との間にはＺ軸方向に隙間が設けられる。
【００８９】
なお、前述したように、タンク９Ａでは、シート部材６６のうちＹ軸方向に向いている面が、タンク９Ａの前面５１に相当している。このため、タンク９Ａでは、前面５１に凹部１１３、凹部１１４、凹部１１６、及び凹部１１７が設けられている。なお、大気開放部５８（図７）は、凹部１１４内に通じている。また、液体供給部５９は、図９に示すように、凹部６７内に通じている。
【００９０】
ケース６３には、図１１に示すように、凹部８２内の壁７１に連通部１３１が設けられている。また、凹部８３内の壁７１には、連通部１３２と、連通部１３３とが設けられている。凹部８４内の壁７１には、連通部１３４が設けられている。凹部８５内の壁７１には、連通部１３５が設けられている。そして、凹部８６内の壁７１には、連通部１３６と、連通部１３７とが設けられている。本実施例では、連通部１３１〜連通部１３７は、それぞれ、壁７１に形成された貫通孔として設けられている。
【００９１】
連通部１３１及び連通部１３２は、図１２に示すように、凹部１１６内に通じている。このため、凹部１１６は、連通部１３１と連通部１３２とに通じている。よって、図１１に示すように、凹部８２と凹部８３とは、壁１０３によって仕切られているが、連通部１３１と凹部１１６（図１２）と連通部１３２とを通じてつながっている。つまり、凹部８２と凹部８３とは、凹部１１６を介して互いに連通している。
【００９２】
連通部１３３及び連通部１３４は、図１２に示すように、凹部１１７内に通じている。このため、凹部１１７は、連通部１３３と連通部１３４とに通じている。よって、図１１に示すように、凹部８３と凹部８４とは、壁１０６によって仕切られているが、連通部１３３と凹部１１７（図１２）と連通部１３４とを通じてつながっている。つまり、凹部８３と凹部８４とは、凹部１１７を介して互いに連通している。
【００９３】
連通部１３５及び連通部１３６は、図１２に示すように、凹部１１３内に通じている。このため、凹部１１３は、連通部１３５と連通部１３６とに通じている。よって、図１１に示すように、凹部８５と凹部８６とは、壁１１０及び壁１０９によって仕切られているが、連通部１３５と凹部１１３（図１２）と連通部１３６とを通じてつながっている。つまり、凹部８５と凹部８６とは、凹部１１３を介して互いに連通している。また、連通部１３７は、図１２に示すように、凹部１１５内に通じている。このため、凹部１１５は、連通部１３７を介して連通部８６（図１１）内に通じている。
【００９４】
ここで、液体注入部３６は、ケース６３の断面図である図１３に示すように、凹部６７内に通じている。なお、図１３では、液体注入部３６を通るＸＺ平面でケース６３を切断したときの断面が示されている。液体注入部３６は、液体注入口１３８と、側壁１３９と、を有している。液体注入口１３８は、壁７５に設けられた貫通孔の開口であり、凹部６７側に向かって開口している。液体注入口１３８は、液体注入部３６と凹部６７（液体収容部６９）とが交差する交差部でもある。
【００９５】
凹部６７は、貫通孔である液体注入口１３８を介して凹部６７の外側に通じている。側壁１３９は、壁７５のＺ軸方向に設けられており、液体注入口１３８の周囲を囲み、インク注入路を形成している。側壁１３９は、壁７５からＺ軸方向に突出している。なお、液体注入部３６の構成としては、側壁１３９が凹部６７の内側に突出している構成も採用され得る。側壁１３９が凹部６７の内側に突出している構成においても、液体注入部３６と凹部６７とが交差する交差部を液体注入口１３８と定義する。
【００９６】
ここで、切欠き部１１１は、図１１に示すように、壁７５に形成されている。切欠き部１１１のうち凹部６７に向かって開口する開口は、大気連通部（後述する）と液体収容部６９との接続口（後述する）に相当する。図１３に示すように、液体注入口１３８も壁７５に形成されており、壁７５の凹部６７側に向かって開口している。このように、本実施例では、切欠き部１１１と液体注入口１３８とが壁７５に形成されている。よって、本実施例では、切欠き部１１１のうち凹部６７に向かって開口する開口（接続口）と、液体注入口１３８とが、鉛直方向で同じ位置にある。
【００９７】
上記の構成を有するケース６３にシート部材６４が接合されると、図１４に示すように、タンク９Ａの背面５４に、液体収容部６９と、大気連通部１４６の一部とが構成される。液体収容部６９は、ケース６３の凹部６７と、シート部材６４とによって囲まれる領域である。タンク９Ａの背面５４に構成される大気連通部１４６の一部は、図９に示す凹部８１〜凹部８６、溝部８７及び溝部８８、並びに切欠き部１１１と、シート部材６４（図８）とによって囲まれる領域である。
【００９８】
ここで、液体収容部６９内には、図１４に示すように、複数の支持部１４１が設けられている。本実施例では、２つの支持部１４１が設けられている。以下において、２つの支持部１４１のそれぞれを識別する場合に、２つの支持部１４１は、それぞれ、支持部１４１Ａ及び支持部１４１Ｂと表記される。２つの支持部１４１は、Ｘ軸に沿って並んでいる。２つの支持部１４１のうち支持部１４１Ａは、壁７３よりも−Ｘ軸方向に位置している。２つの支持部１４１のうち支持部１４１Ｂは、支持部１４１Ａよりも−Ｘ軸方向に位置している。
【００９９】
２つの支持部１４１は、それぞれ、壁７１に設けられている。２つの支持部１４１は、図９に示すように、それぞれ、壁７１から−Ｙ軸方向に突出している。２つの支持部１４１は、それぞれ、壁７２、壁７３、壁７４、壁７５、壁７６、壁７７、壁７８、及び壁７９のそれぞれから離間している。２つの支持部１４１は、それぞれ、ＹＺ平面に沿って延伸する板状の外観を有している。２つの支持部１４１の壁７１からの突出量は、壁７２〜壁７９の壁７１からの突出量と同等に設定されている。そして、２つの支持部１４１のそれぞれにおいて、壁７１側とは反対側、すなわち−Ｙ軸方向の端部に接合部６８が設けられている。つまり、図１４に示すタンク９Ａでは、シート部材６４が、２つの支持部１４１の接合部６８にも接合される。
【０１００】
本実施例では、壁７３と支持部１４１ＡとのＸ軸に沿った間隔と、支持部１４１Ａと支持部１４１ＢとのＸ軸に沿った間隔と、壁７２と支持部１４１ＢとのＸ軸に沿った間隔と、が相互に同等に設定されている。この構成によれば、シート部材６４の変形を、壁７３と支持部１４１Ａとの間と、支持部１４１Ａと支持部１４１Ｂとの間と、壁７２と支持部１４１Ｂとの間とで相互に同等に規制することができる。なお、１つの支持部１４１を設ける構成では、壁７３と支持部１４１との間隔と、壁７２と支持部１４１との間隔とが、互いに同等になるように設定される。これにより、シート部材６４の変形を、壁７３と支持部１４１との間と、壁７２と支持部１４１との間とで同等に規制することができる。
【０１０１】
ケース６３に防水通気フィルム６５（図１０）と、シート部材６６とが接合されると、図１５に示すように、タンク９Ａの前面５１に、大気連通部１４６の一部が構成される。タンク９Ａの前面５１に構成される大気連通部１４６の一部は、凹部１１３、凹部１１４、凹部１１６、及び凹部１１７と、シート部材６６（図１０）とによって囲まれる領域である。また、タンク９Ａの前面５１に構成される大気連通部１４６の一部には、凹部１１５（図１０）と防水通気フィルム６５とによって囲まれる領域も含まれる。
【０１０２】
また、大気連通部１４６には、大気開放部５８も含まれる。大気開放部５８は、図１５に示すように、大気開放口１４７と、導入路１４８と、を含む。大気開放口１４７は、大気開放部５８において、タンク９Ａの外方に向かって開口する開口として適宜される。導入路１４８は、タンク９Ａの外方に向かって開口する大気開放口１４７からタンク９Ａの内方に導入される大気の流路を構成している。
【０１０３】
導入路１４８は、壁１０６から−Ｘ軸方向に突出している。導入路１４８は、壁１０６の厚みと、壁１０６から−Ｘ軸方向に突出している部分とを含む。このため、導入路１４８の経路長は、壁１０６から−Ｘ軸方向に突出している部分の長さと、壁１０６の厚み寸法とを加算した長さに等しい。なお、導入路１４８のうち−Ｘ軸方向に突出している部分を省略した構成も採用され得る。導入路１４８のうち−Ｘ軸方向に突出している部分が省略されたタンク９Ａでは、導入路１４８の経路長さが壁１０６の厚み寸法に等しい。
【０１０４】
上記により、タンク９Ａでは、大気開放口１４７（図１５）から、図１４に示す壁７５に形成された切欠き部１１１と液体収容部６９との接続口１４９に至る大気連通部１４６が構成される。これにより、タンク９Ａは、大気連通部１４６から液体収容部６９内に大気を導入可能に構成されている。つまり、大気連通部１４６は、液体収容部６９に通じている。よって、タンク９Ａでは、大気開放口１４７から液体収容部６９を経由して、液体供給部５９につながる流路が構成されている。この流路の一部に大気連通部１４６が含まれている。
【０１０５】
大気開放口１４７から液体供給部５９に至る流路について、模式図を参照しながら説明する。ここでは、理解を容易にするために、大気開放口１４７から液体供給部５９に至る流路を模式的に説明する。なお、大気開放口１４７から液体供給部５９に向かう向きを、流体が流れる向きとする。そして、この向きが「上流」、「下流」の基準とされる。大気開放口１４７から液体供給部５９に至る流路１５０は、図１６に示すように、大気室１５１と、大気室１５２と、大気室１５３と、大気室１５４と、大気室１５５と、連通路１５６と、大気室１５７と、連通路１５８と、大気室１５９と、連通路１６０と、大気室１６１と、連通路１６２と、バッファー室１６３と、連通路１６４と、を含む。
【０１０６】
大気室１５１は、導入路１４８の下流側に設けられている。大気室１５１は、ケース６３の凹部１１４とシート部材６６とによって囲まれる領域である。大気室１５２は、大気室１５１の下流側に設けられている。大気室１５２は、凹部１１５と防水通気フィルム６５とによって囲まれる領域である。大気室１５２は、大気室１５１内に位置している。大気は、大気室１５１と大気室１５２との間を、防水通気フィルム６５を介して移動可能である。大気室１５３は、大気室１５２の下流側に設けられている。大気室１５３は、ケース６３の凹部８６とシート部材６４とによって囲まれる領域である。大気室１５２と大気室１５３とは、ケース６３の壁７１を貫通する連通部１３７を介して通じている。なお、連通部１３７のうち大気室１５２側の開口は、連通口１６５と表記される。連通口１６５は、大気室１５２と連通部１３７との接続口に相当する。また、連通部１３７のうち大気室１５３側の開口は、連通口１６６と表記される。連通口１６６は、大気室１５３と連通部１３７との接続口に相当する。
【０１０７】
大気室１５４は、大気室１５３の下流側に設けられている。大気室１５４は、ケース６３の凹部１１３とシート部材６６とによって囲まれる領域である。大気室１５３と大気室１５４とは、ケース６３の壁７１を貫通する連通部１３６を介して通じている。連通部１３６のうち大気室１５３側の開口は、連通口１６７と表記される。連通口１６７は、大気室１５３と連通部１３６との接続口に相当する。また、連通部１３６のうち大気室１５４側の開口は、連通口１６８と表記される。連通口１６８は、大気室１５４と連通部１３６との接続口に相当する。
【０１０８】
大気室１５５は、大気室１５４の下流側に設けられている。大気室１５５は、ケース６３の凹部８５とシート部材６４とによって囲まれる領域である。大気室１５４と大気室１５５とは、ケース６３の壁７１を貫通する連通部１３５を介して通じている。連通部１３５のうち大気室１５４側の開口は、連通口１６９と表記される。連通口１６９は、大気室１５４と連通部１３５との接続口に相当する。また、連通部１３５のうち大気室１５５側の開口は、連通口１７０と表記される。連通口１７０は、大気室１５５と連通部１３５との接続口に相当する。
【０１０９】
連通路１５６は、大気室１５５の下流側に設けられている。連通路１５６は、ケース６３の溝部８８とシート部材６４とによって囲まれる領域である。大気室１５５と連通路１５６とは、連通口１７１を介して接続されている。つまり、連通口１７１は、大気室１５５と連通路１５６との接続口に相当する。
【０１１０】
大気室１５７は、連通路１５６の下流側に設けられている。大気室１５７は、ケース６３の凹部８４とシート部材６４とによって囲まれる領域である。連通路１５６と大気室１５７とは、連通口１７２を介して接続されている。つまり、連通口１７２は、連通路１５６と大気室１５７との接続口に相当する。
【０１１１】
連通路１５８は、大気室１５７の下流側に設けられている。連通路１５８は、ケース６３の凹部１１７とシート部材６６とによって囲まれる領域である。大気室１５７と連通路１５８とは、ケース６３の壁７１を貫通する連通部１３４を介して通じている。連通部１３４のうち大気室１５７側の開口は、連通口１７３と表記される。連通口１７３は、大気室１５７と連通部１３４との接続口に相当する。また、連通部１３４のうち連通路１５８側の開口は、連通口１７４と表記される。連通口１７４は、連通路１５８と連通部１３４との接続口に相当する。
【０１１２】
大気室１５９は、連通路１５８の下流側に設けられている。大気室１５９は、ケース６３の凹部８３とシート部材６４とによって囲まれる領域である。連通路１５８と大気室１５９とは、ケース６３の壁７１を貫通する連通部１３３を介して通じている。連通部１３３のうち連通路１５８側の開口は、連通口１７５と表記される。連通口１７５は、連通路１５８と連通部１３３との接続口に相当する。また、連通部１３３のうち大気室１５９側の開口は、連通口１７６と表記される。連通口１７６は、大気室１５９と連通部１３３との接続口に相当する。
【０１１３】
連通路１６０は、大気室１５９の下流側に設けられている。連通路１６０は、ケース６３の凹部１１６とシート部材６６とによって囲まれる領域である。大気室１５９と連通路１６０とは、ケース６３の壁７１を貫通する連通部１３２を介して通じている。連通部１３２のうち大気室１５９側の開口は、連通口１７７と表記される。連通口１７７は、大気室１５９と連通部１３２との接続口に相当する。また、連通部１３２のうち連通路１６０側の開口は、連通口１７８と表記される。連通口１７８は、連通路１６０と連通部１３２との接続口に相当する。
【０１１４】
大気室１６１は、連通路１６０の下流側に設けられている。大気室１６１は、ケース６３の凹部８２とシート部材６４とによって囲まれる領域である。連通路１６０と大気室１６１とは、ケース６３の壁７１を貫通する連通部１３１を介して通じている。連通部１３１のうち連通路１６０側の開口は、連通口１７９と表記される。連通口１７９は、連通路１６０と連通部１３１との接続口に相当する。また、連通部１３１のうち大気室１６１側の開口は、連通口１８０と表記される。連通口１８０は、大気室１６１と連通部１３１との接続口に相当する。
【０１１５】
連通路１６２は、大気室１６１の下流側に設けられている。連通路１６２は、ケース６３の溝部８７とシート部材６４とによって囲まれる領域である。大気室１６１と連通路１６２とは、連通口１８１を介して接続されている。つまり、連通口１８１は、大気室１６１と連通路１６２との接続口に相当する。
【０１１６】
バッファー室１６３は、連通路１６２の下流側に設けられている。バッファー室１６３は、ケース６３の凹部８１とシート部材６４とによって囲まれる領域である。連通路１６２とバッファー室１６３とは、連通口１８２を介して接続されている。つまり、連通口１８２は、連通路１６２とバッファー室１６３との接続口に相当する。
【０１１７】
連通路１６４は、バッファー室１６３の下流側に設けられている。連通路１６２は、ケース６３の切欠き部１１１とシート部材６４とによって囲まれる領域である。バッファー室１６３と連通路１６４とは、連通口１８３を介して接続されている。つまり、連通口１８３は、バッファー室１６３と連通路１６４との接続口に相当する。
【０１１８】
液体収容部６９は、連通路１６４の下流側に設けられている。液体収容部６９は、ケース６３の凹部６７とシート部材６４とによって囲まれる領域である。連通路１６４と液体収容部６９とは、接続口１４９を介して接続されている。接続口１４９は、連通路１６４と液体収容部６９との接続口であり、大気連通部１４６と液体収容部６９との接続口でもある。そして、液体収容部６９の下流側に、液体供給部５９が設けられている。本実施例では、大気開放口１４７から液体供給部５９までの流路１５０が、上記の構成を有している。
【０１１９】
液体収容部６９内のインクが液体供給部５９を介して記録部３１（図２）に供給されると、液体収容部６９内のインクの量が減少する。液体収容部６９内のインクの量が減少すると、液体収容部６９内の圧力が大気圧よりも低くなりやすい。本実施例では、液体収容部６９に、大気開放口１４７から連通路１６４までの大気連通部１４６が連通している。このため、液体収容部６９内のインクの量が減少して液体収容部６９内の圧力が大気圧よりも低くなると、大気連通部１４６を介して液体収容部６９内に大気が導入され得る。この結果、液体収容部６９内の圧力が大気圧に維持されやすい。
【０１２０】
このとき、液体収容部６９内に導入される大気は、大気開放口１４７から導入路１４８を介して大気室１５１内に流入する。大気室１５１内に流入した大気は、防水通気フィルム６５を通って大気室１５２内に流入する。大気室１５２内に流入した大気は、連通口１６５から連通部１３７の連通口１６６を通って大気室１５３内に流入する。大気室１５３内に流入した大気は、連通口１６７から連通部１３６の連通口１６８を通って大気室１５４内に流入する。
【０１２１】
大気室１５４内に流入した大気は、連通口１６９から連通部１３５の連通口１７０を通って大気室１５５内に流入する。大気室１５５内に流入した大気は、連通口１７１から連通路１５６の連通口１７２を通って大気室１５７内に流入する。大気室１５７内に流入した大気は、連通口１７３から連通部１３４の連通口１７４を通って連通路１５８内に流入する。
【０１２２】
連通路１５８内に流入した大気は、連通口１７５から連通部１３３の連通口１７６を通って大気室１５９内に流入する。大気室１５９内に流入した大気は、連通口１７７から連通部１３２の連通口１７８を通って連通路１６０内に流入する。連通路１６０内に流入した大気は、連通口１７９から連通部１３１の連通口１８０を通って大気室１６１内に流入する。
【０１２３】
大気室１６１内に流入した大気は、連通口１８１から連通路１６２の連通口１８２を通ってバッファー室１６３内に流入する。バッファー室１６３内に流入した大気は、連通口１８３から連通路１６４の接続口１４９を通って液体収容部６９内に流入する。
【０１２４】
タンク９Ａによれば、前面５１と背面５４とが互いに異なる方向に向いている。タンク９Ａでは、前面５１に大気室１５１と、大気室１５２と、大気室１５４と、連通路１５８と、連通路１６０とが設けられている。また、背面５４に、大気室１５３と、大気室１５５と、連通路１５６と、大気室１５７と、大気室１５９と、大気室１６１と、連通路１６２と、バッファー室１６３と、連通路１６４とが設けられている。つまり、タンク９Ａでは、大気連通部１４６が、タンク９Ａの相互に異なる面にわたって設けられている。このため、液体収容部６９から大気連通部１４６にインクが進入しても、タンク９Ａの相互に異なる面にわたって設けられた大気連通部１４６によってインクの進行を妨げやすい。これにより、液体収容部６９内のインクが大気連通部１４６を介して大気開放口１４７からタンク９Ａの外に漏出することを防ぎやすい。
【０１２５】
なお、タンク９Ａにおいて、前面５１及び背面５４の一方が第１面に対応し、前面５１及び背面５４の他方が第２面に対応している。そして、前面５１に設けられた大気室１５１、大気室１５２、大気室１５４、連通路１５８、及び連通路１６０が、第１大気室及び第２大気室の一方に対応している。また、背面５４に設けられた大気室１５３、大気室１５５、連通路１５６、大気室１５７、大気室１５９、大気室１６１、連通路１６２、バッファー室１６３、及び連通路１６４が、第１大気室及び第２大気室の他方に対応している。
【０１２６】
タンク９Ａでは、相互に異なる前面５１と背面５４とにわたって大気連通部１４６が設けられている。しかしながら、大気連通部１４６を設ける面の組み合わせは、前面５１及び背面５４の組み合わせに限定されない。大気連通部１４６を設ける面の組み合わせとしては、側面５２、上面５３、側面５５、及び下面５６のうちのいずれか２つを選択することができる。
【０１２７】
また、大気連通部１４６を設ける面の組み合わせとしては、側面５２、上面５３、側面５５、及び下面５６のうちのいずれか１つと、前面５１との組み合わせも採用され得る。この場合、前面５１が第１面に対応し、側面５２、上面５３、側面５５、及び下面５６のうちのいずれか１つが第２面に対応する。
【０１２８】
さらに、大気連通部１４６を設ける面の組み合わせとしては、側面５２、上面５３、側面５５、及び下面５６のうちのいずれか１つと、背面５４との組み合わせも採用され得る。この場合、背面５４が第１面に対応し、側面５２、上面５３、側面５５、及び下面５６のうちのいずれか１つが第２面に対応する。
【０１２９】
また、タンク９Ａでは、大気連通部１４６の経路で大気開放口１４７に最も近い大気室１５１に、防水通気フィルム６５が配置されている。この構成によれば、液体収容部６９から大気連通部１４６に進入したインクの進行を大気室１５２で阻止しやすい。このため、液体収容部６９から大気連通部１４６に進入したインクが大気開放口１４７に到達することを抑制しやすい。
【０１３０】
また、タンク９Ａでは、接続口１４９（図１４）と、液体注入口１３８（図１３）とが、鉛直方向で同じ位置にある。作業者がインクを液体注入部３６から注入したときに、液体収容部６９内のインクの液面は、液体注入口１３８よりもＺ軸方向に高くなりにくい。これは、液体注入口１３８の位置が上限マーク３４（図２）よりも鉛直上方に位置していることや、インクの液面が液体注入口１３８を鉛直上方に超えると液体注入部３６に液面を視認しやすいことなどが理由として挙げられる。このため、接続口１４９（図１４）と、液体注入口１３８（図１３）とが、鉛直方向で同じ位置にある構成であれば、液体収容部６９内のインクが接続口１４９に到達しにくい。この結果、液体収容部６９から大気連通部１４６にインクが進入することを防ぎやすいので、液体収容部６９内のインクが大気連通部１４６を介して大気開放口１４７からタンク９Ａの外に漏出することを防ぎやすい。なお、接続口１４９（図１４）が、液体注入口１３８（図１３）よりも鉛直方向で上方に位置する構成であれば、一層効果が得られる。
【０１３１】
また、タンク９Ａでは、液体収容部６９内にケース６３の壁７１からシート部材６４側に向かって突出する支持部１４１（図１４）が設けられている。このため、例えば、シート部材６４がケース６３の壁７１に向かって、すなわち液体収容部６９の内側に向かって押圧されたときに、シート部材６４を支持部１４１で支えることができる。これにより、シート部材６４のたわみを規制しやすい。この結果、例えば、シート部材６４が液体収容部６９の内側に向かって押圧されたときの液体収容部６９内の容積の収縮を軽減することができる。このため、例えば、シート部材６４が液体収容部６９の内側に向かって押圧されたときに、液体収容部６９内のインクが接続口１４９から大気連通部１４６内に流入することを避けやすい。
【０１３２】
また、タンク９Ａでは、液体収容部６９内に複数の支持部１４１が設けられているので、シート部材６４が液体収容部６９の内側に向かって押圧されたときの液体収容部６９内の容積の収縮を一層軽減することができる。このため、例えば、シート部材６４が液体収容部６９の内側に向かって押圧されたときに、液体収容部６９内のインクが接続口１４９から大気連通部１４６内に流入することを一層避けやすい。
【０１３３】
また、タンク９Ａでは、シート部材６４が支持部１４１に設けられた接合部６８に接合されている。このため、シート部材６４の位置ずれを抑えやすい。また、例えば、液体収容部６９内の圧力が大気圧よりも高くなったときなどに、液体収容部６９内の容積の増大を軽減することができる。
【０１３４】
（実施例２）
実施例２のタンク９Ｂは、図１７に示すように、ケース１９１を有している。実施例２のタンク９Ｂは、実施例１におけるケース６３がケース１９１に置換され、且つシート部材６６の形状が異なることを除いて、実施例１のタンク９Ａと同様の構成を有している。このため、以下において、実施例１と同様の構成については、実施例１と同一の符号を付して、詳細な説明を省略する。
【０１３５】
ケース１９１には、凹部１９２が形成されている。また、ケース１９１は、壁１９３と、壁１９４と、を有している。壁１９３は、ＸＺ平面に沿って延伸している。壁１９３は、壁７１よりも−Ｙ軸方向に位置している。壁１９４は、ＸＹ平面に沿って延伸している。壁１９４は、壁７４よりも−Ｚ軸方向に位置している。ケース１９１において、壁７２及び壁７３は、壁７４よりも−Ｚ軸方向に張り出しており、壁１９４につながっている。壁７２、壁７４、壁７３、及び壁１９４は、壁１９３からＹ軸方向に突出している。壁７２、壁７４、壁７３、及び壁１９４は、壁１９３を囲んでいる。この構成により、壁１９３を底とする凹部１９２が構成されている。なお、タンク９Ｂでは、壁１９４のうち−Ｚ軸方向の面、すなわち壁１９４の凹部１９２側とは反対側の面が下面５６とされている。
【０１３６】
凹部１９２は、凹部１１３よりも−Ｚ軸方向に位置している。凹部１９２は、−Ｙ軸方向に向かって凹となる向きに形成されている。凹部１９２は、溝部１９５を介して連通部１３５につながっている。また、凹部１９２は、切欠き部１９６を介して凹部１１３につながっている。つまり、ケース１９１では、連通部１３５は、溝部１９５、凹部１９２、及び切欠き部１９６を介して凹部１１３につながっている。この点において、ケース１９１は、実施例１におけるケース６３と異なっている。このことを除いて、ケース１９１は、実施例１におけるケース６３と同様の構成を有している。
【０１３７】
実施例２において、シート部材６６は、凹部１１３と、凹部１１４と、凹部１９２とを覆う大きさ及び形状を有している。このことを除いて、実施例２におけるシート部材６６は、実施例１におけるシート部材６６と同様の構成を有している。
【０１３８】
ケース１９１にシート部材６６が接合されると、図１８に示すように、連通路１９７と、大気室１９８と、連通路１９９とが構成される。連通路１９７は、溝部１９５とシート部材６６とによって囲まれる領域である。大気室１９８は、凹部１９２とシート部材６６とによって囲まれる領域である。連通路１９９は、切欠き部１９６とシート部材６６とによって囲まれる領域である。これにより、連通部１３５は、連通路１９７を介して大気室１９８に通じる。大気室１９８は、連通路１９９を介して大気室１５４に通じる。
【０１３９】
上記の構成により、タンク９Ｂにおける大気連通部１４６は、図１９に示すように、実施例１における大気連通部１４６に、連通路１９７と、大気室１９８と、連通路１９９とを付加した構成を有している。つまり、実施例２における流路２００は、実施例１における流路１５０に連通路１９７と、大気室１９８と、連通路１９９とを付加した構成を有している。この点を除いて、実施例２における流路２００は、実施例１における流路１５０と同様の構成を有している。このため、実施例２における流路２００のうち実施例１と同様の構成については、実施例１と同一の符号を付して詳細な説明を省略する。
【０１４０】
連通路１９９は、大気室１５４の下流側に設けられている。大気室１９８は、連通路１９９の下流側に設けられている。連通路１９７は、大気室１９８の下流側に設けられている。大気室１９８は、連通路１９９を介して大気室１５４に通じている。連通路１９９のうち大気室１５４側の開口は、連通口２０１と表記される。連通口２０１は、大気室１５４と連通路１９９との接続口に相当する。また、連通路１９９のうち大気室１９８側の開口は、連通口２０２と表記される。連通口２０２は、大気室１９８と連通路１９９との接続口に相当する。
【０１４１】
また、大気室１９８は、連通路１９７を介して連通部１３５に通じている。連通部１３５は、大気室１５５に通じている。つまり、大気室１９８は、連通路１９７と連通部１３５とを介して、大気室１５５に通じている。連通路１９７のうち大気室１９８側の開口は、連通口２０３と表記される。連通口２０３は、大気室１９８と連通路１９７との接続口に相当する。また、連通路１９７のうち連通部１３５側の開口は、実施例１と同様に連通口１６９である。実施例２では、連通口１６９は、連通路１９７と連通部１３５との接続口に相当する。
【０１４２】
大気室１５３から大気室１５４に流入した大気は、連通口２０１から連通路１９７の連通口２０２を通って大気室１９８内に流入する。大気室１９８内に流入した大気は、連通口２０３から連通路１９９の連通口１６９を通って連通部１３５内に流入する。連通部１３５内に流入した大気は、連通口１７０を通って大気室１５５内に流入する。流路２００のうち大気室１５４よりも上流の部分と、大気室１５５よりも下流の部分とは、実施例１における流路１５０と同様である。このため、流路２００のうち流路１５０と同様の部分における大気の流れの説明を省略する。実施例２においても、実施例１と同様の効果が得られる。
【０１４３】
さらに、実施例２では、実施例１に比較して、連通路１９７、大気室１９８、及び連通路１９９が付加されているので、液体収容部６９から大気連通部１４６にインクが進入しても、大気連通部１４６に進入したインクが大気開放口１４７からタンク９Ｂの外に漏出することを一層防ぎやすい。
【０１４４】
なお、タンク９Ｂにおいて、前面５１及び背面５４の一方が第１面に対応し、前面５１及び背面５４の他方が第２面に対応している。そして、前面５１に設けられた大気室１５１、大気室１５２、大気室１５４、大気室１９８、連通路１５８、及び連通路１６０が、第１大気室及び第２大気室の一方に対応している。また、背面５４に設けられた大気室１５３、大気室１５５、連通路１５６、大気室１５７、大気室１５９、大気室１６１、連通路１６２、バッファー室１６３、及び連通路１６４が、第１大気室及び第２大気室の他方に対応している。
【０１４５】
（実施例３）
実施例３のタンク９Ｃは、図２０に示すように、液体注入部３６と、大気開放部５８と、液体供給部５９と、を有している。なお、実施例３のタンク９Ｃは、実施例１のタンク９Ａの構成と同様の機能を有する構成を含んでいる。このため、実施例３のタンク９Ｃの構成のうち、実施例１のタンク９Ａにおける構成と同様の機能を有する構成については、実施例１のタンク９Ａにおける構成と同一の符号を付して詳細な説明を省略する。
【０１４６】
実施例３のタンク９Ｃでは、使用姿勢において液体注入部３６がＺ軸と交差する方向に向いている。液体注入部３６からインクをタンク９Ｃに注入するときに、作業者は、図２１に示すように液体注入部３６がＺ軸方向に向くようにタンク９Ｃの姿勢を変化させる。タンク９Ｃにおいて液体注入部３６がＺ軸方向に向く姿勢は、タンク９Ｃの注入姿勢と呼ばれる。つまり、実施例３のタンク９Ｃでは、液体注入部３６からインクをタンク９Ｃに注入するときに、作業者は、図２０に示す使用姿勢から図２１に示す注入姿勢に変化させてから、液体注入部３６からインクを注入する。
【０１４７】
以下において、タンク９Ｃの説明では、特にことわりがないときには、タンク９Ｃの注入姿勢での説明とする。つまり、特にことわりがないときには、タンク９Ｃの説明は、タンク９Ｃの液体注入部３６が鉛直上方に向いた注入姿勢での説明である。
【０１４８】
タンク９Ｃは、図２１に示すように、前面５１と、上面５３と、側面５５と、を有している。上面５３は、実施例１と同様に、上面５３Ａと、上面５３Ｂと、上面５３Ｃとに識別され得る。また、タンク９Ｃは、図２２に示すように、側面５２と、背面５４と、下面５６と、を有している。前面５１、側面５２、上面５３、背面５４、側面５５、及び下面５６は、それぞれ、実施例１と同様の方向に向いている。
【０１４９】
図２１に示すように、タンク９Ｃでは、大気開放部５８が上面５３Ａに設けられている。タンク９Ｃでは、大気開放部５８は、上面５３ＡからＺ軸方向に突出しており、Ｚ軸方向に向いている。また、タンク９Ｃでは、図２２に示すように、液体供給部５９がＺ軸方向に向いている。
【０１５０】
タンク９Ｃは、図２３に示すように、ケース２０５と、シート部材６４と、防水通気フィルム６５と、シート部材６６と、シート部材２０６と、を有している。ケース２０５は、実施例１におけるケース６３と同様の材料で構成されている。また、シート部材６４、防水通気フィルム６５、及びシート部材６６は、それぞれ、実施例１と同様の材料で構成されている。シート部材２０６は、合成樹脂（例えば、ナイロンや、ポリプロピレン等）によりフィルム状に形成され、可撓性を有する。タンク９Ｃでは、実施例１と同様に、シート部材６４のうち−Ｙ軸方向に向いている面が、タンク９Ｃの背面５４に相当している。同様に、シート部材６６のうちＹ軸方向に向いている面が、タンク９Ｃの前面５１に相当している。
【０１５１】
ケース２０５は、図２４に示すように、壁２１１と、壁２１２と、壁２１３と、壁２１４と、壁２１５と、壁２１６と、壁２１７と、壁２１８と、壁２１９と、壁２２０と、壁２２１と、壁２２２と、壁２２３と、壁２２４と、壁２２５と、壁２２６と、壁２２７と、壁２２８と、を有している。壁２１１〜壁２２８は、それぞれ平坦な壁に限られず、凹凸や段差等を含むものであってもよい。
【０１５２】
壁２１１は、ＸＺ平面に沿って延伸している。壁２１２〜壁２２８の１７個の壁は、壁２１１に交差している。壁２１２〜壁２２８の１７個の壁は、壁２１１から−Ｙ軸方向に突出している。壁２１１をＹ軸方向に平面視したとき、壁２１２〜壁２１９の８つの壁が壁２１１を囲んでいる。壁２１１と、壁２１２〜壁２１９の８つの壁とによって、壁２１１を底とする凹部２３１が構成されている。
【０１５３】
壁２１２と壁２１３とは、Ｘ軸に沿って隙間をあけた状態で互いに対峙する位置に設けられており、それぞれＹＺ平面に沿って延伸している。壁２１３が、壁２１２よりもＸ軸方向に位置している。壁２１４は、壁２１２及び壁２１３の−Ｚ軸方向に位置しており、壁２１２及び壁２１３に交差している。壁２１１をＹ軸方向に平面視したとき、壁２１５から壁２１９は、壁２１４よりもＺ軸方向に位置している。壁２１５は、壁２１５から壁２１９のうちで最もＸ軸方向に位置しており、壁２１３に交差している。壁２１９は、壁２１５から壁２１９のうちで最も−Ｘ軸方向に位置しており、壁２１２に交差している。壁２１６は、壁２１５の−Ｘ軸方向に位置しており、ＹＺ平面に沿って延伸している。壁２１７は、壁２１６の−Ｘ軸方向に位置しており、ＸＹ平面に沿って延伸している。壁２１８は、壁２１７の−Ｘ軸方向に位置しており、ＹＺ平面に沿って延伸している。壁２１９は、壁２１８の−Ｘ軸方向に位置しており、ＸＹ平面に沿って延伸している。
【０１５４】
また、ケース２０５には、凹部２３２と、凹部２３３と、凹部２３４と、凹部２３５と、凹部２３６と、凹部２３７と、溝部２３８とが形成されている。凹部２３２は、壁２１９のＺ軸方向に位置している。凹部２３２は、壁２１１と、壁２１７と、壁２１８と、壁２１９と、壁２１２と、壁２２０と、壁２２１と、壁２２２と、壁２２３と、によって区画されている。
【０１５５】
壁２２０は、ＸＹ平面に沿って延伸しており、壁２１９よりもＺ軸方向に位置している。壁２２０は、壁２１２に交差している。壁２２１は、ＹＺ平面に沿って延伸しており、壁２１８よりも−Ｘ軸方向、且つ壁２１９よりもＺ軸方向に位置している。壁２２１は、壁２２０に交差している。壁２２２は、ＸＹ平面に沿って延伸しており、壁２１７よりもＺ軸方向に位置している。壁２２２は、壁２２１に交差している。壁２２３は、ＹＺ平面に沿って延伸しており、壁２２１よりもＸ軸方向に位置している。壁２２３は、壁２２２及び壁２１７に交差している。壁２１１をＹ軸方向に平面視したとき、壁２１７、壁２１８、壁２１９、壁２１２、壁２２０、壁２２１、壁２２２、及び壁２２３は、壁２１１を囲んでいる。これにより、壁２１１を底とする凹部２３２が構成されている。
【０１５６】
凹部２３３は、凹部２３２のＺ軸方向に位置している。凹部２３３は、壁２１１と、壁２２１と、壁２２２と、壁２２４と、壁２２５とによって区画されている。壁２２４は、ＸＹ平面に沿って延伸しており、壁２２２よりもＺ軸方向に位置している。壁２２４は、壁２２１に交差している。壁２２５は、ＹＺ平面に沿って延伸しており、壁２２１よりもＸ軸方向、且つ壁２２３よりも−Ｘ軸方向に位置している。壁２２５は、壁２２２及び壁２２４に交差している。壁２１１をＹ軸方向に平面視したとき、壁２２１、壁２２２、壁２２４、及び壁２２５は、壁２１１を囲んでいる。これにより、壁２１１を底とする凹部２３３が構成されている。
【０１５７】
凹部２３４は、凹部２３１のＺ軸方向、且つ凹部２３３のＸ軸方向に位置している。凹部２３４は、壁２１１と、壁２１７と、壁２２３と、壁２２２と、壁２２５と、壁２２４と、壁２２６とによって区画されている。壁２２６は、ＹＺ平面に沿って延伸しており、壁２２３よりもＸ軸方向に位置している。壁２２６は、壁２２４及び壁２１７に交差している。壁２１１をＹ軸方向に平面視したとき、壁２１７、壁２２３、壁２２２、壁２２５、壁２２４、及び壁２２６は、壁２１１を囲んでいる。これにより、壁２１１を底とする凹部２３４が構成されている。
【０１５８】
凹部２３５は、凹部２３１のＺ軸方向、且つ凹部２３４のＸ軸方向に位置している。凹部２３５は、壁２１１と、壁２１７と、壁２２６と、壁２２４と、壁２２７とによって区画されている。壁２２７は、ＹＺ平面に沿って延伸しており、壁２２６よりもＸ軸方向、且つ壁２１６よりも−Ｘ軸方向に位置している。壁２２７は、壁２２４及び壁２１７に交差している。壁２１１をＹ軸方向に平面視したとき、壁２１７、壁２２６、壁２２４、及び壁２２７は、壁２１１を囲んでいる。これにより、壁２１１を底とする凹部２３５が構成されている。
【０１５９】
凹部２３６は、凹部２３１のＺ軸方向、且つ凹部２３５のＸ軸方向に位置している。凹部２３６は、壁２１１と、壁２１６と、壁２１７と、壁２２７と、壁２２８とによって区画されている。壁２２８は、ＸＹ平面に沿って延伸しており、壁２１７よりもＺ軸方向、且つ壁２２４よりも−Ｚ軸方向に位置している。壁２２８は、壁２１６及び壁２２７に交差している。壁２１１をＹ軸方向に平面視したとき、壁２１６、壁２１７、壁２２７、及び壁２２８は、壁２１１を囲んでいる。これにより、壁２１１を底とする凹部２３６が構成されている。
【０１６０】
凹部２３７は、凹部２３６のＺ軸方向、且つ凹部２３５のＸ軸方向に位置している。凹部２３７は、壁２１１と、壁２１６と、壁２２８と、壁２２７と、壁２２４とによって区画されている。壁２１１をＹ軸方向に平面視したとき、壁２１６、壁２２８、壁２２７、及び壁２２４は、壁２１１を囲んでいる。これにより、壁２１１を底とする凹部２３７が構成されている。
【０１６１】
溝部２３８は、壁２１１をＹ軸方向に平面視したときに、壁２１２と壁２２０との交差部に位置している。溝部２３８は、Ｚ軸に沿って壁２１９をまたぐ領域に設けられており、凹部２３１と凹部２３２とに通じている。つまり、凹部２３１と凹部２３２とが、溝部２３８を介してつながっている。
【０１６２】
凹部２３２と凹部２３３とを仕切る壁２２２には、切欠き部２４１が形成されている。凹部２３２と凹部２３３とは、切欠き部２４１を介してつながっている。また、凹部２３３と凹部２３４とを仕切る壁２２５には、切欠き部２４２が形成されている。凹部２３３と凹部２３４とは、切欠き部２４２を介してつながっている。凹部２３４と凹部２３５とを仕切る壁２２６には、切欠き部２４３が形成されている。凹部２３４と凹部２３５とは、切欠き部２４３を介してつながっている。
【０１６３】
凹部２３１〜凹部２３７、溝部２３８、切欠き部２４１〜切欠き部２４３は、−Ｙ軸方向からＹ軸方向に向かって凹となる向きに形成されている。凹部２３１〜凹部２３７、溝部２３８、切欠き部２４１〜切欠き部２４３は、壁２１１をＹ軸方向に平面視したときに、接合部６８によって囲まれている。なお、前述したように、タンク９Ｃでは、シート部材６４（図２２）のうち−Ｙ軸方向に向いている面が、タンク９Ｃの背面５４（図２２）に相当している。このため、タンク９Ｃでは、背面５４に凹部２３１〜凹部２３７、溝部２３８、切欠き部２４１〜切欠き部２４３が設けられている。
【０１６４】
なお、シート部材６４（図２２）は、タンク９ＣをＹ軸方向に平面視したときに、凹部２３１〜凹部２３７、溝部２３８、切欠き部２４１〜切欠き部２４３を囲む接合部６８（図２４）を覆う大きさ及び形状を有している。このため、ケース２０５の接合部６８にシート部材６４を接合すると、凹部２３１〜凹部２３７、溝部２３８、切欠き部２４１〜切欠き部２４３がシート部材６４によって塞がれる。これにより、凹部２３１〜凹部２３７が相互に仕切られた部屋となる。
【０１６５】
なお、実施例３においても、実施例１と同様に、ケース２０５の凹部２３１内に支持部１４１が設けられている。実施例３においても、実施例１と同様に、支持部１４１の−Ｙ軸方向の端部に接合部６８が設けられている。実施例３では、支持部１４１は、ＸＹ平面に沿って延伸している。この点において実施例３は実施例１と異なっている。
【０１６６】
また、図２４に示すケース２０５の壁２１２のうち−Ｘ軸方向の面、すなわち壁２１２の凹部２３１側とは反対側の面が、図２２に示すタンク９Ｃの側面５２に相当する。また、図２４に示す壁２１３のうちＸ軸方向の面、すなわち壁２１３の凹部２３１側とは反対側の面が、図２１に示す側面５５に相当する。また、図２４に示す壁２１４のうち−Ｚ軸方向の面、すなわち壁２１４の凹部２３１側とは反対側の面が、図２２に示す下面５６に相当する。また、図２４に示す壁２１５のうちＺ軸方向の面、すなわち壁２１５の凹部２３１側とは反対側の面が、図２１に示す上面５３Ｃに相当する。また、図２４に示す壁２２４のうちＺ軸方向の面、すなわち壁２２４の凹部２３５側とは反対側の面が、図２１に示す上面５３Ａに相当する。また、図２４に示す壁２２０のうちＺ軸方向の面、すなわち壁２２０の凹部２３１側とは反対側の面が、図２１に示す上面５３Ｂに相当する。
【０１６７】
また、ケース２０５には、図２５に示すように、凹部２５１と、凹部２５２と、凹部２５３とが形成されている。さらに、ケース２０５は、区画壁２５４と、区画壁２５５と、区画壁２５６とを有している。凹部２５１は、壁２１１を隔てて凹部２３１（図２４）側とは反対側に位置している。つまり、凹部２５１は、壁２１１を隔てて凹部２３１（図２４）のＹ軸方向に位置している。なお、凹部２３１の壁２１１と、凹部２５１の壁２１１とは、互いに同一の壁である。つまり、本実施例では、凹部２３１と凹部２５１とが、互いに壁２１１を共有している。
【０１６８】
凹部２５１は、壁２１１と、区画壁２５４とによって区画されている。区画壁２５４は、壁２１１のＹ軸方向に向いている面に設けられている。区画壁２５４は、壁２１１からＹ軸方向に突出している。壁２１１を−Ｙ軸方向に平面視したとき、区画壁２５４によって囲まれる領域が、凹部２５１の領域である。そして、壁２１１を囲む区画壁２５４と壁２１１とによって、壁２１１を底とする凹部２５１が構成されている。凹部２５１は、−Ｙ軸方向に凹となる向きに形成されている。
【０１６９】
区画壁２５４のＹ軸方向の端部は、接合部２５７として設定されている。図２５では、構成をわかりやすく示すため、接合部２５７にハッチングが施されている。シート部材６６（図２３）は、接合部２５７に接合されている。本実施例では、溶着によってケース２０５とシート部材６６とが接合されている。シート部材６６は、図２５に示す壁２１１を−Ｙ軸方向に平面視したとき、凹部２５１及び接合部２５７を覆う大きさ及び形状を有している。このため、ケース２０５にシート部材６６が接合されると、凹部２５１がシート部材６６によって塞がれる。これにより、凹部２５１が部屋となる。
【０１７０】
凹部２５２及び凹部２５３は、壁２２４の上面５３Ａに形成されている。凹部２５２及び凹部２５３は、壁２２４から−Ｚ軸方向に凹となる向きに形成されている。図２５中のＡ部の拡大図である図２６に示すように、壁２２４には、面２６１が形成されている。面２６１は、壁２２４の上面５３Ａよりも−Ｚ軸方向に位置している。凹部２５２は、壁２２４の面２６１と区画壁２５５とによって区画されている。区画壁２５５は、面２６１に設けられており、面２６１からＺ軸方向に突出している。壁２２４を−Ｚ軸方向に平面視したとき、区画壁２５５によって囲まれる領域が凹部２５２の領域である。そして、面２６１を囲む区画壁２５５と面２６１とによって、面２６１を底とする凹部２５２が構成されている。なお、凹部２５２は、−Ｚ軸方向に凹となる向きに形成されている。
【０１７１】
凹部２５３は、壁２２４を−Ｚ軸方向に平面視したときに、区画壁２５５によって囲まれた領域内に位置している。つまり、凹部２５３は、凹部２５２の内側に設けられている。凹部２５３は、壁２２４の面２６１と区画壁２５６とによって区画されている。区画壁２５６は、面２６１に設けられており、面２６１からＺ軸方向に突出している。面２６１からの区画壁２５６の突出量は、面２６１からの区画壁２５５の突出量よりも小さい。壁２２４を−Ｚ軸方向に平面視したとき、区画壁２５６によって囲まれる領域が凹部２５３の領域である。そして、面２６１を囲む区画壁２５６と面２６１とによって、面２６１を底とする凹部２５３が構成されている。なお、凹部２５３は、−Ｚ軸方向に凹となる向きに形成されている。
【０１７２】
凹部２５３を区画する区画壁２５６のＺ軸方向の端部は、接合部２６２として設定されている。図２６では、構成をわかりやすく示すため、接合部２６２にハッチングが施されている。接合部２６２には、防水通気フィルム６５（図２３）が接合されている。防水通気フィルム６５は、壁２２４を−Ｚ軸方向に平面視したとき、凹部２５３及び接合部２６２を覆う大きさ及び形状を有している。このため、防水通気フィルム６５を接合部２６２に接合すると、凹部２５３が防水通気フィルム６５によって塞がれる。これにより、凹部２５３は、凹部２５２から防水通気フィルム６５によって仕切られた部屋となる。
【０１７３】
凹部２５２を区画する区画壁２５５のＺ軸方向の端部は、接合部２６３として設定されている。図２６では、構成をわかりやすく示すため、接合部２６３にハッチングが施されている。接合部２６３には、シート部材２０６（図２３）が接合されている。シート部材２０６は、壁２２４を−Ｚ軸方向に平面視したとき、凹部２５２及び接合部２６３を覆う大きさ及び形状を有している。このため、シート部材２０６を接合部２６３に接合すると、凹部２５２がシート部材２０６によって塞がれる。これにより、凹部２５３が部屋となる。なお、面２６１からの区画壁２５６の突出量が面２６１からの区画壁２５５の突出量よりも小さいため、防水通気フィルム６５とシート部材２０６との間にはＺ軸方向に隙間が設けられる。
【０１７４】
ケース２０５には、図２７に示すように、凹部２３５内の壁２１１に連通部２６５が設けられている。また、凹部２３６内の壁２１１には、連通部２６６が設けられている。本実施例では、連通部２６５及び連通部２６６は、それぞれ、壁２１１に形成された貫通孔として設けられている。連通部２６５及び連通部２６６は、図２８に示すように、凹部２５１内に通じている。このため、凹部２５１は、連通部２６５と連通部２６６とに通じている。よって、図２７に示すように、凹部２３５と凹部２３６とは、壁２２７によって仕切られているが、連通部２６５と凹部２５１（図２８）と連通部２６６とを通じてつながっている。つまり、凹部２３５と凹部２３６とは、凹部２５１を介して互いに連通している。
【０１７５】
また、ケース２０５には、図２９に示すように、凹部２５３内の壁２２４に連通部２６７が設けられている。また、凹部２５２内の壁２２４には、連通部２６８が設けられている。本実施例では、連通部２６７及び連通部２６８は、それぞれ、壁２２４に形成された貫通孔として設けられている。さらに、連通部２６７は、壁２２４から壁２２８（図２７）も貫通している。そして、連通部２６７は、凹部２３６内に通じている。また、連通部２６８は、凹部２３７に通じている。また、ケース２０５では、大気開放部５８（図２９）も壁２２４を貫通して凹部２３７（図２７）に通じている。
【０１７６】
上記の構成により、図２９に示す連通部２６７が凹部２５３と凹部２３６（図２７）とに通じているため、凹部２５３と凹部２３６とが連通部２６７によって互いに通じている。また、図２９に示す連通部２６８及び大気開放部５８が凹部２３７に通じているので、凹部２５３と大気開放部５８とが凹部２３７（図２７）を通じてつながっている。つまり、凹部２５３と大気開放部５８とは、凹部２３７を介して互いに連通している。
【０１７７】
大気開放口１４７から液体供給部５９に至る流路２７０について、模式図を参照しながら説明する。ここでは、理解を容易にするために、大気開放口１４７から液体供給部５９に至る流路２７０を模式的に説明する。なお、大気開放口１４７から液体供給部５９に向かう向きを、流体が流れる向きとする。そして、この向きが「上流」、「下流」の基準とされる。大気開放口１４７から液体供給部５９に至る流路２７０は、図３０に示すように、大気連通部１４６と、液体収容部６９と、液体供給部５９と、を含む。
【０１７８】
大気連通部１４６は、大気室２７１と、大気室２７２と、大気室２７３と、大気室２７４と、大気室２７５と、大気室２７６と、大気室２７７と、大気室２７８と、大気室２７９と、を含む。また、大気連通部１４６は、連通路２８１と、連通路２８２と、連通路２８３と、連通路２８４と、を含む。
【０１７９】
大気室２７１は、導入路１４８の下流側に設けられている。大気室２７１は、ケース２０５の凹部２３７とシート部材６４とによって囲まれる領域である。なお、導入路１４８のうち大気室２７１側の開口は、連通口２８５と表記される。連通口２８５は、大気室２７１と導入路１４８との接続口に相当する。
【０１８０】
大気室２７２は、大気室２７１の下流側に設けられている。大気室２７２は、凹部２５２とシート部材２０６とによって囲まれる領域である。大気室２７１と大気室２７２とは、ケース２０５の壁２２４を貫通する連通部２６８を介して通じている。なお、連通部２６８のうち大気室２７１側の開口は、連通口２８６と表記される。連通口２８６は、大気室２７１と連通部２６８との接続口に相当する。また、連通部２６８のうち大気室２７２側の開口は、連通口２８７と表記される。連通口２８７は、大気室２７２と連通部２６８との接続口に相当する。
【０１８１】
大気室２７３は、凹部２５３と防水通気フィルム６５とによって囲まれる領域である。大気室２７３は、大気室２７２内に位置している。大気は、大気室２７２と大気室２７３との間を、防水通気フィルム６５を介して移動可能である。大気室２７４は、大気室２７３の下流側に設けられている。大気室２７４は、ケース２０５の凹部２３６とシート部材６４とによって囲まれる領域である。大気室２７３と大気室２７４とは、ケース２０５の壁２２４を貫通する連通部２６７を介して通じている。なお、連通部２６７のうち大気室２７３側の開口は、連通口２８８と表記される。連通口２８８は、大気室２７３と連通部２６７との接続口に相当する。また、連通部２６７のうち大気室２７４側の開口は、連通口２８９と表記される。連通口２８９は、大気室２７４と連通部２６７との接続口に相当する。
【０１８２】
大気室２７５は、大気室２７４の下流側に設けられている。大気室２７５は、ケース２０５の凹部２５１とシート部材６６とによって囲まれる領域である。大気室２７４と大気室２７５とは、ケース２０５の壁２１１を貫通する連通部２６６を介して通じている。なお、連通部２６６のうち大気室２７４側の開口は、連通口２９０と表記される。連通口２９０は、大気室２７４と連通部２６６との接続口に相当する。また、連通部２６６のうち大気室２７５側の開口は、連通口２９１と表記される。連通口２９１は、大気室２７５と連通部２６６との接続口に相当する。
【０１８３】
大気室２７６は、大気室２７５の下流側に設けられている。大気室２７６は、ケース２０５の凹部２３５とシート部材６４とによって囲まれる領域である。大気室２７５と大気室２７６とは、ケース２０５の壁２１１を貫通する連通部２６５を介して通じている。なお、連通部２６５のうち大気室２７５側の開口は、連通口２９２と表記される。連通口２９２は、大気室２７５と連通部２６５との接続口に相当する。また、連通部２６５のうち大気室２７６側の開口は、連通口２９３と表記される。連通口２９３は、大気室２７６と連通部２６５との接続口に相当する。
【０１８４】
連通路２８１は、大気室２７６の下流側に設けられている。連通路２８１は、ケース２０５の切欠き部２４３とシート部材６４とによって囲まれる領域である。大気室２７６と連通路２８１とは、連通口２９４を介して接続されている。つまり、連通口２９４は、大気室２７６と連通路２８１との接続口に相当する。
【０１８５】
大気室２７７は、連通路２８１の下流側に設けられている。大気室２７７は、ケース２０５の凹部２３４とシート部材６４とによって囲まれる領域である。連通路２８１と大気室２７７とは、連通口２９５を介して接続されている。つまり、連通口２９５は、連通路２８１と大気室２７７との接続口に相当する。
【０１８６】
連通路２８２は、大気室２７７の下流側に設けられている。連通路２８２は、ケース２０５の切欠き部２４２とシート部材６４とによって囲まれる領域である。大気室２７７と連通路２８２とは、連通口２９６を介して接続されている。つまり、連通口２９６は、大気室２７７と連通路２８２との接続口に相当する。
【０１８７】
大気室２７８は、連通路２８２の下流側に設けられている。大気室２７８は、ケース２０５の凹部２３３とシート部材６４とによって囲まれる領域である。連通路２８２と大気室２７８とは、連通口２９７を介して接続されている。つまり、連通口２９７は、連通路２８２と大気室２７８との接続口に相当する。
【０１８８】
連通路２８３は、大気室２７８の下流側に設けられている。連通路２８３は、ケース２０５の切欠き部２４１とシート部材６４とによって囲まれる領域である。大気室２７８と連通路２８３とは、連通口２９８を介して接続されている。つまり、連通口２９８は、大気室２７８と連通路２８３との接続口に相当する。
【０１８９】
大気室２７９は、連通路２８３の下流側に設けられている。大気室２７９は、ケース２０５の凹部２３２とシート部材６４とによって囲まれる領域である。連通路２８３と大気室２７９とは、連通口２９９を介して接続されている。つまり、連通口２９９は、連通路２８３と大気室２７９との接続口に相当する。
【０１９０】
連通路２８４は、大気室２７９の下流側に設けられている。連通路２８４は、ケース２０５の溝部２３８とシート部材６４とによって囲まれる領域である。大気室２７９と連通路２８４とは、連通口３００を介して接続されている。つまり、連通口３００は、大気室２７９と連通路２８４との接続口に相当する。
【０１９１】
液体収容部６９は、連通路２８４の下流側に設けられている。液体収容部６９は、ケース２０５の凹部２３１とシート部材６４とによって囲まれる領域である。連通路２８４と液体収容部６９とは、接続口３０１を介して接続されている。接続口３０１は、連通路２８４と液体収容部６９との接続口であり、大気連通部１４６と液体収容部６９との接続口でもある。そして、液体収容部６９の下流側に、液体供給部５９が設けられている。本実施例では、大気開放口１４７から液体供給部５９までの流路２７０が、上記の構成を有している。
【０１９２】
液体収容部６９内のインクが液体供給部５９を介して記録部３１（図２）に供給されると、液体収容部６９内のインクの量が減少する。液体収容部６９内のインクの量が減少すると、液体収容部６９内の圧力が大気圧よりも低くなりやすい。本実施例では、液体収容部６９に、大気開放口１４７から連通路２８４までの大気連通部１４６が連通している。このため、液体収容部６９内のインクの量が減少して液体収容部６９内の圧力が大気圧よりも低くなると、大気連通部１４６を介して液体収容部６９内に大気が導入され得る。この結果、液体収容部６９内の圧力が大気圧に維持されやすい。
【０１９３】
このとき、液体収容部６９内に導入される大気は、大気開放口１４７から導入路１４８を介して大気室２７１内に流入する。大気室２７１内に流入した大気は、連通口２８６から連通部２６８の連通口２８７を通って大気室２７２内に流入する。大気室２７２内に流入した大気は、防水通気フィルム６５を通って大気室２７３内に流入する。大気室２７３内に流入した大気は、連通口２８８から連通部２６７の連通口２８９を通って大気室２７４内に流入する。大気室２７４内に流入した大気は、連通口２９０から連通部２６６の連通口２９１を通って大気室２７５内に流入する。大気室２７５内に流入した大気は、連通口２９２から連通部２６５の連通口２９３を通って大気室２７６内に流入する。
【０１９４】
大気室２７６内に流入した大気は、連通口２９４から連通路２８１の連通口２９５を通って大気室２７７内に流入する。大気室２７７内に流入した大気は、連通口２９６から連通路２８２の連通口２９７を通って大気室２７８内に流入する。大気室２７８内に流入した大気は、連通口２９８から連通路２８３の連通口２９９を通って大気室２７９内に流入する。大気室２７９内に流入した大気は、連通口３００から連通路２８４の接続口３０１を通って液体収容部６９内に流入する。実施例３においても、実施例１と同様の効果が得られる。
【０１９５】
タンク９Ｃにおいて、前面５１及び背面５４の一方が第１面に対応し、前面５１及び背面５４の他方が第２面に対応している。そして、前面５１に設けられた大気室２７５が、第１大気室及び第２大気室の一方に対応している。また、背面５４に設けられた大気室２７１、大気室２７４、大気室２７６、連通路２８１、大気室２７７、連通路２８２、大気室２７８、連通路２８３、大気室２７９、及び連通路２８４が、第１大気室及び第２大気室の他方に対応している。また、上面５３Ａに設けられた大気室２７２が第３大気室に対応している。
【０１９６】
なお、タンク９Ｃの使用姿勢では、図３１に示すように、液体注入口１３８がＺ軸と交差する方向に向く。図３１では、構成を模式的に示すため、種々の構成の図示が簡略化されている。また、使用姿勢では、液体供給部５９が液体注入口１３８よりも鉛直下方に位置する。タンク９Ｃでは、使用姿勢において、大気連通部１４６と液体収容部６９との接続口３０１が液体注入口１３８よりも鉛直下方に位置する。また、タンク９Ｃでは、使用姿勢において、接続口３０１が液体供給部５９よりも鉛直上方に位置する。この構成により、タンク９Ｃでは、接続口３０１が液体収容部６９内に収容されるインク３０２中に没入する。そして、液体噴射システム１が印刷に使用されるとき、タンク９Ｃの液体注入部３６がキャップ３０３によって封止される。
【０１９７】
上記の構成により、タンク９Ｃでは、使用姿勢において、接続口３０１が液体収容部６９に収容されるインク３０２の液面よりも鉛直上方に位置する構成に比較して、液体収容部６９内のインク３０２の液位の変化による水頭圧の変化を軽減することができる。つまり、タンク９Ｃでは、液体収容部６９内のインク３０２の液位の変化によって記録部３１に供給されるインク３０２の圧力の変化を軽減することができる。これにより、タンク９Ｃの液体収容部６９内のインク３０２量の増減に起因して、記録部３１の記録ヘッドに供給されるインク３０２の圧力が大きく変動してしまうことを抑えやすい。この結果、記録部３１におけるインク３０２の噴射性能の変動を抑えやすいので、印刷品位を良好に維持しやすい。
【０１９８】
上記各実施形態において、液体噴射装置は、インク以外の他の液体を噴射したり吐出したり塗布したりして消費する液体噴射装置であってもよい。なお、液体噴射装置から微小量の液滴となって吐出される液体の状態としては、粒状、涙状、糸状に尾を引くものも含むものとする。また、ここでいう液体は、液体噴射装置で消費させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状体を含むものとする。また、物質の一状態としての液体のみならず、顔料や金属粒子などの固形物からなる機能材料の粒子が溶媒に溶解、分散又は混合されたものなども含むものとする。液体の代表的な例としては、上記各実施形態で説明したようなインクの他、液晶等も挙げられる。ここで、インクとは一般的な水性インク及び油性インク並びにジェルインク、ホットメルトインク等の各種液体組成物を包含するものとする。更に、インクとして、昇華転写インクを用いることができる。昇華転写インクは、例えば昇華性染料のような昇華性の色材を含むインクである。印刷方法は、そのような昇華転写インクを液体噴射装置により転写媒体に噴射し、その転写媒体を被印刷物に接触させ加熱して色材を昇華させて被印刷物に転写させる。被印刷物はＴシャツやスマートフォン等である。このように、昇華性の色材を含むインクであれば、多様な被印刷物（印刷媒体）に印刷を行うことができる。液体噴射装置の具体例としては、例えば、液晶ディスプレイ、ＥＬ（エレクトロルミネッセンス）ディスプレイ、面発光ディスプレイ、カラーフィルターの製造等に用いられる電極材や色材等の材料を分散又は溶解のかたちで含む液体を噴射する液体噴射装置がある。また、バイオチップ製造に用いられる生体有機物を噴射する液体噴射装置、精密ピペットとして用いられ試料となる液体を噴射する液体噴射装置、捺染装置やマイクロディスペンサー等であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置であってもよい。また、基板などをエッチングするために酸又はアルカリ等のエッチング液を噴射する液体噴射装置であってもよい。
【０１９９】
なお、本発明は、上述の実施形態や実施例に限られるものではなく、その趣旨を逸脱しない範囲において種々の構成で実現することができる。例えば、発明の概要の欄に記載した各形態中の技術的特徴に対応する実施形態、実施例中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【０２００】
１…液体噴射システム、３…プリンター、４…インク供給装置、５…スキャナーユニット、６…筐体、７…筐体、９，９Ａ，９Ｂ，９Ｃ…タンク、１１…排紙部、１３…正面、１５…上面、１９…側部、２１…窓部、２３…正面、２５…上面、２７…側部、３１…記録部、３２…インク供給チューブ、３３…視認面、３４…上限マーク、３５…下限マーク、３６…液体注入部、４１…第１筐体、４２…第２筐体、４３…カバー、５１…前面、５２…側面、５３…上面、５４…背面、５５…側面、５６…下面、５８…大気開放部、５９…液体供給部、６１…段差面、６２…部分、６３…ケース、６４…シート部材、６５…防水通気フィルム、６６…シート部材、６７…凹部、６８…接合部、６９…液体収容部、７１…壁、７２…壁、７３…壁、７４…壁、７５…壁、７６…壁、７７…壁、７８…壁、７９…壁、８１…凹部、８２…凹部、８３…凹部、８４…凹部、８５…凹部、８６…凹部、８７…溝部、８８…溝部、１０１…壁、１０２…壁、１０３…壁、１０４…壁、１０５…壁、１０６…壁、１０７…壁、１０８…壁、１０９…壁、１１０…壁、１１１…切欠き部、１１３…凹部、１１４…凹部、１１５…凹部、１１６…凹部、１１７…凹部、１２１…区画壁、１２２…区画壁、１２３…区画壁、１２４…区画壁、１２５…区画壁、１２６…接合部、１２７…接合部、１３１…連通部、１３２…連通部、１３３…連通部、１３４…連通部、１３５…連通部、１３６…連通部、１３７…連通部、１３８…液体注入口、１３９…側壁、１４１，１４１Ａ，１４１Ｂ…支持部、１４６…大気連通部、１４７…大気開放口、１４８…導入路、１４９…接続口、１５０…流路、１５１…大気室、１５２…大気室、１５３…大気室、１５４…大気室、１５５…大気室、１５６…連通路、１５７…大気室、１５８…連通路、１５９…大気室、１６０…連通路、１６１…大気室、１６２…連通路、１６３…バッファー室、１６４…連通路、１６５…連通口、１６６…連通口、１６７…連通口、１６８…連通口、１６９…連通口、１７０…連通口、１７１…連通口、１７２…連通口、１７３…連通口、１７４…連通口、１７５…連通口、１７６…連通口、１７７…連通口、１７８…連通口、１７９…連通口、１８０…連通口、１８１…連通口、１８２…連通口、１８３…連通口、１９１…ケース、１９２…凹部、１９３…壁、１９４…壁、１９５…溝部、１９６…切欠き部、１９７…連通路、１９８…大気室、１９９…連通路、２００…流路、２０１…連通口、２０２…連通口、２０３…連通口、２０５…ケース、２０６…シート部材、２１１…壁、２１２…壁、２１３…壁、２１４…壁、２１５…壁、２１６…壁、２１７…壁、２１８…壁、２１９…壁、２２０…壁、２２１…壁、２２２…壁、２２３…壁、２２４…壁、２２５…壁、２２６…壁、２２７…壁、２２８…壁、２３１…凹部、２３２…凹部、２３３…凹部、２３４…凹部、２３５…凹部、２３６…凹部、２３７…凹部、２３８…溝部、２４１…切欠き部、２４２…切欠き部、２４３…切欠き部、２５１…凹部、２５２…凹部、２５３…凹部、２５４…区画壁、２５５…区画壁、２５６…区画壁、２５７…接合部、２６１…面、２６２…接合部、２６３…接合部、２６５…連通部、２６６…連通部、２６７…連通部、２６８…連通部、２７０…流路、２７１…大気室、２７２…大気室、２７３…大気室、２７４…大気室、２７５…大気室、２７６…大気室、２７７…大気室、２７８…大気室、２７９…大気室、２８１…連通路、２８２…連通路、２８３…連通路、２８４…連通路、２８５…連通口、２８６…連通口、２８７…連通口、２８８…連通口、２８９…連通口、２９０…連通口、２９１…連通口、２９２…連通口、２９３…連通口、２９４…連通口、２９５…連通口、２９６…連通口、２９７…連通口、２９８…連通口、２９９…連通口、３００…連通口、３０１…接続口、３０２…インク、３０３…キャップ、Ｐ…記録媒体。
【図１】
2017030158.tif 000003
【図２】
2017030158.tif 000004
【図３】
2017030158.tif 000005
【図４】
2017030158.tif 000006
【図５】
2017030158.tif 000007
【図６】
2017030158.tif 000008
【図７】
2017030158.tif 000009
【図８】
2017030158.tif 000010
【図９】
2017030158.tif 000011
【図１０】
2017030158.tif 000012
【図１１】
2017030158.tif 000013
【図１２】
2017030158.tif 000014
【図１３】
2017030158.tif 000015
【図１４】
2017030158.tif 000016
【図１５】
2017030158.tif 000017
【図１６】
2017030158.tif 000018
【図１７】
2017030158.tif 000019
【図１８】
2017030158.tif 000020
【図１９】
2017030158.tif 000021
【図２０】
2017030158.tif 000022
【図２１】
2017030158.tif 000023
【図２２】
2017030158.tif 000024
【図２３】
2017030158.tif 000025
【図２４】
2017030158.tif 000026
【図２５】
2017030158.tif 000027
【図２６】
2017030158.tif 000028
【図２７】
2017030158.tif 000029
【図２８】
2017030158.tif 000030
【図２９】
2017030158.tif 000031
【図３０】
2017030158.tif 000032
【図３１】
2017030158.tif 000033